(57)【要約】【課題】任意の画像入力に対して高輝度画素の利得を増加させて表示画像のダイナミックレンジを拡大することが可能な表示装置を提供する。【解決手段】表示装置は、複数の画素４８が配列され、画像を表示する画像表示パネル３０と、画像の入力信号である第１信号ＲＧＢに含まれる、画素４８を構成する複数の副画素の信号値に利得を乗じて第２信号ｒｇｂを生成する信号処理部２０と、を備える。信号処理部２０は、画素４８に含まれる複数の副画素の信号値に基づき、当該画素４８における輝度Ｙｉｎを算出し、輝度Ｙｉｎが第１の輝度閾値Ｙｔｈ１を超えた画素４８において、副画素の信号値に乗じる利得を、当該画素４８の輝度Ｙｉｎに応じて大きくする。【選択図】図２８
2018031920.tif 000002
【特許請求の範囲】
【請求項１】
複数の画素が配列され、画像を表示する画像表示パネルと、
前記画像の入力信号である第１信号に含まれる、前記画素を構成する複数の副画素の信号値に利得を乗じて第２信号を生成する信号処理部と、
を備え、
前記信号処理部は、前記画素に含まれる複数の副画素の信号値に基づき、当該画素における輝度を算出し、前記輝度が第１の輝度閾値を超えた画素において、前記副画素の信号値に乗じる利得を、当該画素の前記輝度に応じて大きくする
表示装置。
【請求項２】
前記第１の輝度閾値は、前記画素に含まれる複数の前記副画素の信号値が全て０以上となる値に設定されている
請求項１に記載の表示装置。
【請求項３】
前記第１の輝度閾値は、０．７以上１．０未満の値に設定されている
請求項１又は請求項２に記載の表示装置。
【請求項４】
前記信号処理部は、
前記輝度が前記第１の輝度閾値以下の画素において、前記副画素の信号値に乗じる利得を下げる
請求項１から請求項３の何れか一項に記載の表示装置。
【請求項５】
前記信号処理部は、
前記画素の総数に対し、前記輝度が第２の輝度閾値を超える画素の数の比率を求め、当該比率が第１の比率閾値を超えた場合に、前記輝度が第１の輝度閾値を超えた画素において、前記副画素の信号値に乗じる利得を下げる
請求項１から請求項４の何れか一項に記載の表示装置。
【請求項６】
前記信号処理部は、
前記比率が前記第１の比率閾値よりも大きい第２の比率閾値を超えた場合に、前記副画素の信号値に乗じる利得を所定の一定値とする
請求項５に記載の表示装置。
【発明の詳細な説明】
【技術分野】
【０００１】
本発明は、表示装置に関する。
【背景技術】
【０００２】
近年、液晶表示パネルや有機エレクトロルミネッセンス発光を用いた有機ＥＬディスプレイパネル（ＯＬＥＤ：Ｏｒｇａｎｉｃ  Ｅｌｅｃｔｒｏ−Ｌｕｍｉｎｅｓｃｅｎｃｅ  Ｄｉｓｐｌａｙ）を用いた表示装置において、表示画像のダイナミックレンジを拡大することが考えられている。例えば特許文献１には、液晶表示パネルの表示領域を複数の領域に分けて複数の光源を設け、各領域毎に光源の発光量を制御することでコントラスト比の向上を図るローカルディミング技術が開示されている。
【先行技術文献】
【特許文献】
【０００３】
【特許文献１】特開２０１０−４４３８９号公報
【発明の概要】
【発明が解決しようとする課題】
【０００４】
表示画像のダイナミックレンジを拡大する際、表示画像によっては、低輝度部分の輝度も上がってしまい、十分なコントラスト感が得られない可能性がある。
【０００５】
本態様は、任意の画像入力に対して高輝度画素の利得を増加させて表示画像のダイナミックレンジを拡大することができる表示装置を提供することを目的とする。
【課題を解決するための手段】
【０００６】
本発明の一態様に係る表示装置は、複数の画素が配列され、画像を表示する画像表示パネルと、前記画像の入力信号である第１信号に含まれる、前記画素を構成する複数の副画素の信号値に利得を乗じて第２信号を生成する信号処理部と、を備え、前記信号処理部は、前記画素に含まれる複数の副画素の信号値に基づき、当該画素における輝度を算出し、前記輝度が第１の輝度閾値を超えた画素において、前記副画素の信号値に乗じる利得を、当該画素の前記輝度に応じて大きくする。
【図面の簡単な説明】
【０００７】
【図１】図１は、実施形態に係る表示装置の構成の一例を示すブロック図である。
【図２】図２は、実施形態に係る画像表示パネルの画素配列を示す図である。
【図３】図３は、実施形態に係る導光板及びサイドライト光源の説明図である。
【図４】図４は、実施形態に係るサイドライト光源の１つの光源が作用する光の強度分布の一例を説明する説明図である。
【図５】図５は、実施形態に係るサイドライト光源の１つの光源が作用する光の強度分布の一例を説明する説明図である。
【図６】図６は、実施形態の表示装置で再現可能な再現ＨＳＶ色空間の概念図である。
【図７】図７は、再現ＨＳＶ色空間の色相と彩度との関係を示す概念図である。
【図８】図８は、実施形態に係る信号処理部を説明するためのブロック図である。
【図９】図９は、実施形態に係る表示装置の駆動方法のフローチャートである。
【図１０】図１０は、実施形態に係る輝度判定ブロックの一例を示す図である。
【図１１】図１１は、特定の光源から入射する入射光が導光板から画像表示パネルの平面に照射される光強度分布の情報を説明するための模式図である。
【図１２】図１２は、ルックアップテーブルを説明するための模式図である。
【図１３】図１３は、線形補間の演算を説明するための説明図である。
【図１４】図１４は、多項式補間の演算を説明するための説明図である。
【図１５】図１５は、実施形態に係る画像解析及び光源駆動値演算ステップの詳細なフローチャートである。
【図１６】図１６は、実施形態に係る各光源の駆動値を決定するステップを説明するフローチャートである。
【図１７】図１７は、実施形態に係る識別（フラグ）された輝度判定ブロックを説明するための説明図である。
【図１８】図１８は、実施形態に係る輝度判定ブロックのうち入光部の輝度が高い場合を説明する説明図である。
【図１９】図１９は、図１８に示す輝度判定ブロックの実際の輝度を説明する説明図である。
【図２０】図２０は、実施形態に係る輝度判定ブロックのうち中央部の輝度が高い場合を説明する説明図である。
【図２１】図２１は、図２０に示す輝度判定ブロックの実際の輝度を説明する説明図である。
【図２２】図２２は、図２０に示す輝度判定ブロックの実際の輝度を説明する説明図である。
【図２３】図２３は、実施形態に係る不足輝度を補う光源点灯量の増加について説明する概念図である。
【図２４】図２４は、実施形態に係る識別（フラグ）された輝度判定ブロックを説明するための説明図である。
【図２５】図２５は、輝度判定ブロックの実際の輝度を説明する説明図である。
【図２６】図２６は、１つの輝度補正の対象とする輝度判定ブロックに対する各光源の影響を説明するための説明図である。
【図２７】図２７は、実施形態に係るルックアップテーブルの絶対座標値の一例を示す図である。
【図２８】図２８は、実施形態に係るトーンカーブ変換処理特性の一例を示す図である。
【図２９】図２９は、実施形態に係るトーンカーブ変換処理における利得特性の一例を示す図である。
【図３０】図３０は、実施形態に係るトーンカーブ変換処理における利得係数特性の一例を示す図である。
【図３１】図３１は、実施形態に係るトーンカーブ変換部の一構成例を示すブロック図である。
【図３２】図３２は、トーンカーブ変換処理の一例を示すフローチャートである。
【図３３】図３３は、第１領域における利得係数ｋ１を１に固定（ｋ１＝１）した場合のトーンカーブ変換処理特性の一例を示す図である。
【図３４】図３４は、第１領域における利得係数ｋ１を１に固定（ｋ１＝１）した場合のトーンカーブ変換処理における利得特性の一例を示す図である。
【図３５】図３５は、第１領域における利得係数ｋ１を１に固定（ｋ１＝１）した場合のトーンカーブ変換処理における利得係数特性の一例を示す図である。
【図３６】図３６は、第１領域における基準利得Ａｅ及び利得係数ｋ１を１に固定（Ａｅ＝１，ｋ１＝１）した場合のトーンカーブ変換処理特性の一例を示す図である。
【図３７】図３７は、第１領域における基準利得Ａｅ及び利得係数ｋ１を１に固定（Ａｅ＝１，ｋ１＝１）した場合のトーンカーブ変換処理における利得特性の一例を示す図である。
【図３８】図３８は、高輝度画素比率演算部を省略した実施形態に係るトーンカーブ変換部の一構成例を示すブロック図である。
【図３９】図３９は、高輝度画素比率演算部を省略した構成におけるトーンカーブ変換処理特性の一例を示す図である。
【図４０】図４０は、高輝度画素比率演算部を省略した構成におけるトーンカーブ変換処理における利得特性の一例を示す図である。
【図４１】図４１は、高輝度画素比率演算部を省略した構成におけるトーンカーブ変換処理の一例を示すフローチャートである。
【図４２】図４２は、実施形態に係るトーンカーブ変換部への入力信号の輝度が原画像の輝度に対して所定のカーブ特性γを有している場合の原画像の輝度と第１信号の輝度との関係を示す図である。
【図４３】図４３は、原画像における画像表示領域が複数の領域に分割され、各分割領域において、実施形態に係るトーンカーブ変換部への入力信号の輝度が原画像の輝度に対してそれぞれ異なるカーブ特性γを有している例を示す図である。
【図４４Ａ】図４４Ａは、実施形態に係る表示装置を赤、緑、青、白の４色の副画素で構成される液晶表示パネルに適用した一例を示す図である。
【図４４Ｂ】図４４Ｂは、実施形態に係る表示装置を赤、緑、青の３色の副画素で構成される液晶表示パネルに適用した一例を示す図である。
【図４４Ｃ】図４４Ｃは、実施形態に係る表示装置をＯＬＥＤに適用した一例を示す図である。
【図４５Ａ】図４５Ａは、実施形態に係る表示装置を赤、緑、青、白の４色の副画素で構成される液晶表示パネルに適用した図４４Ａとは異なる一例を示す図である。
【図４５Ｂ】図４５Ｂは、実施形態に係る表示装置を赤、緑、青の３色の副画素で構成される液晶表示パネルに適用した図４４Ｂとは異なる一例を示す図である。
【図４５Ｃ】図４５Ｃは、実施形態に係る表示装置をＯＬＥＤに適用した図４４Ｃとは異なる一例を示す図である。
【発明を実施するための形態】
【０００８】
以下、発明を実施するための形態について、図面を参照して詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態）
（表示装置の構成）
図１は、実施形態に係る表示装置の構成の一例を示すブロック図である。図２は、実施形態に係る画像表示パネルの画素配列を示す図である。
【００１０】
図１に示すように、表示装置１０は、制御装置１１からの原画像の入力信号である第１信号ＲＧＢ及びトーンカーブ設定値（後述）が入力され、表示装置１０の各部に出力信号である第３信号ＲＧＢＷを送り、動作を制御する信号処理部２０と、信号処理部２０から出力された第３信号ＲＧＢＷに基づいて画像を表示させる画像表示パネル（表示部）３０と、画像表示パネル３０の駆動を制御する画像表示パネル駆動部４０と、画像表示パネル３０を背面から照明する面状光源装置５０と、面状光源装置５０の駆動を制御する面状光源装置制御部６０と、を備える。制御装置１１、信号処理部２０、及び面状光源装置制御部６０は、例えば半導体集積回路（ＩＣ）で構成される。なお、制御装置１１、信号処理部２０、及び面状光源装置制御部６０は、１つの半導体集積回路（ＩＣ）に構成されていても良いし、それぞれが異なる半導体集積回路（ＩＣ）に構成されていても良い。制御装置１１、信号処理部２０、及び面状光源装置制御部６０の構成により本発明が限定されるものではない。
【００１１】
信号処理部２０は、画像表示パネル３０及び面状光源装置５０の動作を制御する演算処理部である。信号処理部２０は、画像表示パネル３０を駆動するための画像表示パネル駆動部４０、及び、面状光源装置５０を駆動するための面状光源装置制御部６０と接続されている。信号処理部２０は、制御装置１１から入力される第１信号ＲＧＢを処理して第３信号ＲＧＢＷ及び面状光源装置制御信号ＢＬを生成する。つまり、信号処理部２０は、第１信号ＲＧＢの入力ＨＳＶ色空間の入力値（第１信号）を、第１の色、第２の色、第３の色及び第４の色で再現される再現ＨＳＶ色空間の再現値（第３信号）に変換して生成し、生成した第３信号ＲＧＢＷを画像表示パネル３０に出力する。信号処理部２０は、生成した第３信号ＲＧＢＷを画像表示パネル駆動部４０に出力し、生成した面状光源装置制御信号ＢＬを面状光源装置制御部６０に出力する。
【００１２】
図１に示すように、画像表示パネル３０は、画素４８が、Ｐ０×Ｑ０個（行方向にＰ０個、列方向にＱ０個）、２次元のマトリクス状（行列状）に配列されている。図１に示す例は、ＸＹの２次元座標系に複数の画素４８がマトリクス状に配列されている例を示している。この例において、行方向がＸ方向、列方向はＹ方向である。
【００１３】
図２に示すように、画素４８は、第１副画素４９Ｒと、第２副画素４９Ｇと、第３副画素４９Ｂと、第４副画素４９Ｗとを有する。第１副画素４９Ｒは、第１原色（例えば、赤色）を表示する。第２副画素４９Ｇは、第２原色（例えば、緑色）を表示する。第３副画素４９Ｂは、第３原色（例えば、青色）を表示する。第４副画素４９Ｗは、第４の色（具体的には白色）を表示する。このように、画像表示パネル３０に行列状に配列された画素４８は、第１の色を表示する第１副画素４９Ｒ、第２の色を表示する第２副画素４９Ｇ、第３の色を表示する第３副画素４９Ｂ及び第４の色を表示する第４副画素４９Ｗを含む。第１の色、第２の色、第３の色及び第４の色は、第１原色、第２原色、第３原色及び白色に限られず、補色など色が異なっていればよい。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るいことが好ましい。以下の説明において、第１副画素４９Ｒと、第２副画素４９Ｇと、第３副画素４９Ｂと、第４副画素４９Ｗとをそれぞれ区別する必要がない場合、副画素４９という。
【００１４】
表示装置１０は、より具体的には、透過型のカラー液晶表示装置である。図２に示すように、画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル３０は、第４副画素４９Ｗと画像観察者との間にカラーフィルタが配置されていない。この場合には、第４副画素４９Ｗに大きな段差が生じることとなる。このため、第４副画素４９Ｗには、カラーフィルタの代わりに透明な樹脂層が備えられていてもよい。これにより、第４副画素４９Ｗに大きな段差が生じることを抑制することができる。
【００１５】
図１及び図２に示す画像表示パネル駆動部４０は、本実施形態の制御部に含まれ、信号出力回路４１及び走査回路４２を備えている。画像表示パネル駆動部４０は、信号出力回路４１によって映像信号を保持し、順次、画像表示パネル３０に出力する。信号出力回路４１は、信号線ＤＴＬによって画像表示パネル３０と電気的に接続されている。画像表示パネル駆動部４０は、走査回路４２によって、画像表示パネル３０における副画素４９を選択し、副画素４９の動作（光透過率）を制御するためのスイッチング素子（例えば、薄膜トランジスタ（ＴＦＴ：Thin  Film  Transistor））のオン及びオフを制御する。走査回路４２は、走査線ＳＣＬによって画像表示パネル３０と電気的に接続されている。
【００１６】
面状光源装置５０は、画像表示パネル３０の背面に配置され、画像表示パネル３０に向けて光を照射することで、画像表示パネル３０を照明する。図３は、実施形態に係る導光板及びサイドライト光源の説明図である。導光板５４には、導光板５４の両側面に、第１入射面Ｅ１、第２入射面Ｅ２を有している。面状光源装置５０は、この第１入射面Ｅ１に対向する位置に、複数の光源５６Ａ、５６Ｂ、５６Ｃ、５６Ｄ、５６Ｅ及び５６Ｆを配列した第１サイドライト光源５２Ａを備えている。
【００１７】
また、面状光源装置５０は、第２入射面Ｅ２に対向する位置に、複数の光源５７Ａ、５７Ｂ、５７Ｃ、５７Ｄ、５７Ｅ及び５７Ｆを配列した第２サイドライト光源５２Ｂ、を備えている。
【００１８】
第１サイドライト光源５２Ａと、第２サイドライト光源５２Ｂとは、複数の光源５６Ａ、５６Ｂ、５６Ｃ、５６Ｄ、５６Ｅ及び５６Ｆと、複数の光源５７Ａ、５７Ｂ、５７Ｃ、５７Ｄ、５７Ｅ及び５７Ｆとが、入光方向ＬＸの中心線ＬＸｃに対して線対称となるように配置されている。
【００１９】
複数の光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆは、例えば、同色（例えば、白色）の発光ダイオード（ＬＥＤ：Light  Emitting  Diode）である。
【００２０】
複数の光源５６Ａ、５６Ｂ、５６Ｃ、５６Ｄ、５６Ｅ及び５６Ｆは、導光板５４の一側面に沿って並んでいる。光源５６Ａ、５６Ｂ、５６Ｃ、５６Ｄ、５６Ｅ及び５６Ｆが並ぶ光源配列方向をＬＹとした場合、光源配列方向ＬＹに直交する入光方向ＬＸに沿って、導光板５４の第１入射面Ｅ１へ光源５６Ａ、５６Ｂ、５６Ｃ、５６Ｄ、５６Ｅ及び５６Ｆの入射光が入光する。
【００２１】
同様に、複数の光源５７Ａ、５７Ｂ、５７Ｃ、５７Ｄ、５７Ｅ及び５７Ｆは、導光板５４の他側面に沿って並んでいる。光源５７Ａ、５７Ｂ、５７Ｃ、５７Ｄ、５７Ｅ及び５７Ｆが並ぶ光源配列方向をＬＹとした場合、光源配列方向ＬＹに直交する入光方向ＬＸに沿って、導光板５４の第２入射面Ｅ２へ光源５７Ａ、５７Ｂ、５７Ｃ、５７Ｄ、５７Ｅ及び５７Ｆの入射光が入光する。
【００２２】
面状光源装置制御部６０は、面状光源装置５０から出力する光の光量等を制御する。面状光源装置制御部６０は、本実施形態の制御部に含まれる。具体的には、面状光源装置制御部６０は、信号処理部２０から出力される面状光源装置制御信号ＢＬに基づいて面状光源装置５０に供給する電流値を調整することで、画像表示パネル３０を照射する光量（光の強度）を制御する。
【００２３】
面状光源装置５０に供給する電流値の調整は、例えば、複数の光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆに印加する電圧あるいは電流のオンオフデューティ比（ｄｕｔｙ比）を調整することでなされる。すなわち、面状光源装置制御部６０は、図３に示す複数の光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆに対して個々に印加する電圧あるいは電流のオンオフデューティ比（ｄｕｔｙ比）を独立して制御し、各光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆの照射する光の光源点灯量（光の強度）を個々に制御する、光源の分割駆動制御をすることができる。
【００２４】
以上説明したように、面状光源装置制御部６０は、第１サイドライト光源５２Ａの光源毎に独立して明るさを制御し、かつ第２サイドライト光源５２Ｂの光源毎に独立して明るさを制御する。
【００２５】
ここで、画像表示パネル３０の表示面の全面を入光方向ＬＸの中心線ＬＸｃを境界として仮想的に２分割した領域を、第１表示面３１と第２表示面３２として面状光源装置制御部６０が処理する。第１表示面３１は、第１サイドライト光源５２Ａに近い画像表示パネル３０の表示面の領域である。第１表示面３１には、第２サイドライト光源５２Ｂから照射される光よりも第１サイドライト光源５２Ａから照射される光の方が影響を受ける。逆に、第２表示面３２は、第２サイドライト光源５２Ｂに近い画像表示パネル３０の表示面の領域である。第２表示面３２には、第１サイドライト光源５２Ａから照射される光よりも第２サイドライト光源５２Ｂから照射される光の方が影響を受ける。
【００２６】
そこで、以下の説明では、第１サイドライト光源５２Ａの１つの光源が、図３に示す第１表示面３１に対して作用する例について説明する。第１サイドライト光源５２Ａと、第２サイドライト光源５２Ｂとは、複数の光源５６Ａ、５６Ｂ、５６Ｃ、５６Ｄ、５６Ｅ及び５６Ｆと、複数の光源５７Ａ、５７Ｂ、５７Ｃ、５７Ｄ、５７Ｅ及び５７Ｆとが、入光方向ＬＸの中心線ＬＸｃに対して線対称となるように配置されている。このため、複数の光源５６Ａ、５６Ｂ、５６Ｃ、５６Ｄ、５６Ｅ及び５６Ｆと、複数の光源５７Ａ、５７Ｂ、５７Ｃ、５７Ｄ、５７Ｅ及び５７Ｆとを置き換えて説明すれば、同じ説明となるので、第２サイドライト光源５２Ｂの１つの光源が、図３に示す第２表示面３２に対して作用する例については、詳細な説明を省略することがある。
【００２７】
図４及び図５は、実施形態に係るサイドライト光源の１つの光源が作用する光の強度分布の一例を説明する説明図である。図４は、図３に示す光源５６Ａのみが点灯した場合、光源５６Ａから導光板５４に入射する入射光が導光板５４から画像表示パネル３０の平面に照射される光強度分布の情報である。光源配列方向ＬＹに直交する入光方向ＬＸに沿って、導光板５４の第１入射面Ｅ１へ光源５６Ａの入射光が入ると、導光板５４は、画像表示パネル３０を背面から照明する照明方向ＬＺへ照射する。本実施形態において、照明方向ＬＺは、光源配列方向ＬＹと、入光方向ＬＸとに直交する。
【００２８】
図５は、図３に示す光源５６Ｃのみが点灯した場合、光源５６Ｃから導光板５４に入射する入射光が導光板５４から画像表示パネル３０の平面に照射される光強度分布の情報である。光源配列方向ＬＹに直交する入光方向ＬＸに沿って、導光板５４の第１入射面Ｅ１へ光源５６Ｃの入射光が入ると、導光板５４は、画像表示パネル３０を背面から照明する照明方向ＬＺへ照射する。
【００２９】
導光板５４は、光源配列方向ＬＹにおける両端面で光の反射が生じるため、光源配列方向ＬＹにおける両端面に近い、光源５６Ａ及び光源５６Ｆが照射する光の強度分布と、光源５６Ａ及び光源５６Ｆの間に配置される、例えば光源５６Ｃが照射する光の強度分布が異なっている。このため、後述するように、本実施形態に係る面状光源装置制御部６０は、図３に示す複数の光源５６Ａ、５６Ｂ、５６Ｃ、５６Ｄ、５６Ｅ及び５６Ｆに対して個々に独立して電流又はオンオフデューティ比（ｄｕｔｙ比）を制御し、各光源５６Ａ、５６Ｂ、５６Ｃ、５６Ｄ、５６Ｅ及び５６Ｆの光強度分布に応じて照射する光の光源点灯量（光の強度）を制御する必要がある。次に、表示装置１０、より具体的には信号処理部２０が実行する処理動作について説明する。
【００３０】
（表示装置の処理動作）
図６は、実施形態の表示装置で再現可能な再現ＨＳＶ色空間の概念図である。図７は、再現ＨＳＶ色空間の色相と彩度との関係を示す概念図である。図８は、実施形態に係る信号処理部を説明するためのブロック図である。図１に示すように、信号処理部２０は、制御装置１１から第１信号ＲＧＢが入力される。図９は、実施形態に係る表示装置の駆動方法のフローチャートである。第１信号ＲＧＢは、各画素４８に対して、その位置で表示する画像（色）の情報を含んでいる。具体的には、Ｐ０×Ｑ０個の画素４８がマトリクス状に配置された画像表示パネル３０において、第（ｐ、ｑ）番目の画素４８（ただし、１≦ｐ≦Ｐ０、１≦ｑ≦Ｑ０）に対して、各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）が含まれる第１信号ＲＧＢが信号処理部２０に入力される。図８に示すように、信号処理部２０は、タイミング生成部２１と、画像処理部２２と、画像解析部２３と、光源駆動値演算部２４と、光源データ記憶部２５と、光源駆動値決定部２６と、トーンカーブ変換部２７とを含む。
【００３１】
図１及び図８に示す信号処理部２０は、図９に示すように、第１信号ＲＧＢを検出する（ステップＳ１１）。トーンカーブ変換部２７は、第１信号ＲＧＢのトーンカーブを変換して第２信号ｒｇｂを出力する（ステップＳ１２）。第２信号ｒｇｂは、各第１副画素４９Ｒの信号値ｘ１−（ｐ、ｑ）、各第２副画素４９Ｇの信号値ｘ２−（ｐ、ｑ）、及び各第３副画素４９Ｂの信号値ｘ３−（ｐ、ｑ）を含む。そして、タイミング生成部２１は、第２信号ｒｇｂを処理することで、１フレーム毎に画像表示パネル駆動部４０と、面状光源装置制御部６０とのタイミングを同期する同期信号ＴＭを画像表示パネル駆動部４０及び面状光源装置制御部６０へ送出する。ステップＳ１２のトーンカーブ変換部２７におけるトーンカーブ変換処理については後述する。
【００３２】
信号処理部２０の画像処理部２２は、第２信号ｒｇｂを処理することで、第１副画素４９Ｒの表示階調を決定するための第１副画素４９Ｒの第３信号（信号値Ｘ１−（ｐ、ｑ））、第２副画素４９Ｇの表示階調を決定するための第２副画素４９Ｇの第３信号（信号値Ｘ２−（ｐ、ｑ））、第３副画素４９Ｂの表示階調を決定するための第３副画素４９Ｂの第３信号（信号値Ｘ３−（ｐ、ｑ））、及び第４副画素４９Ｗの表示階調を決定するための第４副画素４９Ｗの第３信号（信号値Ｘ４−（ｐ、ｑ））を含む第３信号ＲＧＢＷを生成し、画像表示パネル駆動部４０に出力する表示データの演算ステップ（ステップＳ１７）を処理する。以下、本実施形態に係る表示データの演算ステップ（ステップＳ１７）について詳細に説明する。
【００３３】
表示装置１０は、画素４８に第４の色（白色）を出力する第４副画素４９Ｗを備えることで、図６に示すように、ＨＳＶ色空間（再現ＨＳＶ色空間）における明度のダイナミックレンジを広げることができる。つまり、図６に示すように、第１副画素４９Ｒ、第２副画素４９Ｇ及び第３副画素４９Ｂが表示することのできる円柱形状のＨＳＶ色空間に、彩度Ｓが高くなるほど明度Ｖの最大値が低くなる略円錐台形状となる立体が載っている形状となる。
【００３４】
信号処理部２０の画像処理部２２は、第４の色（白色）を加えることで、拡大されたＨＳＶ色空間における彩度Ｓを変数とした明度の最大値Ｖｍａｘ（Ｓ）が、信号処理部２０に記憶されている。つまり、信号処理部２０は、図６に示すＨＳＶ色空間の立体形状について、彩度Ｓ及び色相Ｈの座標（値）毎に明度の最大値Ｖｍａｘ（Ｓ）の値を記憶している。第２信号は、第１副画素４９Ｒ、第２副画素４９Ｇ及び第３副画素４９Ｂの第２信号を有するため、第２信号のＨＳＶ色空間は、円柱形状、つまり、再現ＨＳＶ色空間の円柱形状部分と同じ形状となる。
【００３５】
次に、信号処理部２０の画像処理部２２は、少なくとも第１副画素４９Ｒの第２信号（信号値ｘ１−（ｐ、ｑ））及び伸張係数αに基づいて、第１副画素４９Ｒの第３信号（信号値Ｘ１−（ｐ、ｑ））を算出し、第１副画素４９Ｒへ出力する。また、信号処理部２０は、少なくとも第２副画素４９Ｇの第２信号（信号値ｘ２−（ｐ、ｑ））及び伸張係数αに基づいて第２副画素４９Ｇの第３信号（信号値Ｘ２−（ｐ、ｑ））を算出し、第２副画素４９Ｇへ出力する。また、信号処理部２０は、少なくとも第３副画素４９Ｂの第２信号（信号値ｘ３−（ｐ、ｑ））及び伸張係数αに基づいて第３副画素４９Ｂの第３信号（信号値Ｘ３−（ｐ、ｑ））を算出し、第３副画素４９Ｂへ出力する。さらに、信号処理部２０は、第１副画素４９Ｒの第２信号（信号値ｘ１−（ｐ、ｑ））、第２副画素４９Ｇの第２信号（信号値ｘ２−（ｐ、ｑ））及び第３副画素４９Ｂの第２信号（信号値ｘ３−（ｐ、ｑ））に基づいて第４副画素４９Ｗの第３信号（信号値Ｘ４−（ｐ、ｑ））を算出し、第４副画素４９Ｗへ出力する。
【００３６】
具体的には、信号処理部２０の画像処理部２２は、第１副画素４９Ｒの伸張係数α及び第４副画素４９Ｗの第３信号に基づいて第１副画素４９Ｒの第３信号を算出し、第２副画素４９Ｇの伸張係数α及び第４副画素４９Ｗの第３信号に基づいて第２副画素４９Ｇの第３信号を算出し、第３副画素４９Ｂの伸張係数α及び第４副画素４９Ｗの第３信号に基づいて第３副画素４９Ｂの第３信号を算出する。
【００３７】
つまり、信号処理部２０は、χを表示装置に依存した定数としたとき、第（ｐ、ｑ）番目の画素４８（又は第１副画素４９Ｒ、第２副画素４９Ｇ及び第３副画素４９Ｂの組）への第１副画素４９Ｒの第３信号である信号値Ｘ１−（ｐ、ｑ）、第２副画素４９Ｇの第３信号である信号値Ｘ２−（ｐ、ｑ）及び第３副画素４９Ｂの第３信号である信号値Ｘ３−（ｐ、ｑ）を、次に示す式（１）〜式（３）から求める。
【００３８】
Ｘ１−（ｐ、ｑ）＝α・ｘ１−（ｐ、ｑ）−χ・Ｘ４−（ｐ、ｑ）・・・（１）
【００３９】
Ｘ２−（ｐ、ｑ）＝α・ｘ２−（ｐ、ｑ）−χ・Ｘ４−（ｐ、ｑ）・・・（２）
【００４０】
Ｘ３−（ｐ、ｑ）＝α・ｘ３−（ｐ、ｑ）−χ・Ｘ４−（ｐ、ｑ）・・・（３）
【００４１】
信号処理部２０は、第４の色を加えることで拡大されたＨＳＶ色空間における彩度Ｓを変数とした明度の最大値Ｖｍａｘ（Ｓ）を求め、複数の画素４８における副画素４９の第２信号値に基づき、これらの複数の画素４８における彩度Ｓ及び明度Ｖ（Ｓ）を求める。
【００４２】
彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができる。ｎは、表示階調ビット数である。また、Ｍａｘは、画素４８への第１副画素４９Ｒの第２信号値、第２副画素４９Ｇの第２信号値及び第３副画素４９Ｂの第２信号値のうち、最大値である。Ｍｉｎは、画素４８への第１副画素４９Ｒの第２信号値、第２副画素４９Ｇの第２信号値及び第３副画素４９Ｂの第２信号値のうち、最小値である。また、色相Ｈは、図７に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤（Ｒｅｄ）となる。
【００４３】
本実施形態において、信号値Ｘ４−（ｐ、ｑ）は、Ｍｉｎ（ｐ、ｑ）と伸張係数αとの積に基づき求めることができる。具体的には、下記の式（４）に基づいて信号値Ｘ４−（ｐ、ｑ）を求めることができる。式（４）では、Ｍｉｎ（ｐ、ｑ）と伸張係数αとの積をχで除しているが、これに限定するものではない。χについては後述する。
【００４４】
Ｘ４−（ｐ、ｑ）＝Ｍｉｎ（ｐ、ｑ）・α／χ・・・（４）
【００４５】
一般に、第（ｐ、ｑ）番目の画素において、第１副画素４９Ｒの第２信号（信号値ｘ１−（ｐ、ｑ））、第２副画素４９Ｇの第２信号（信号値ｘ２−（ｐ、ｑ））及び第３副画素４９Ｂの第２信号（信号値ｘ３−（ｐ、ｑ））に基づき、円柱のＨＳＶ色空間における彩度（Saturation）Ｓ（ｐ、ｑ）及び明度（Brightness）Ｖ（Ｓ）（ｐ、ｑ）は、次の式（５）、式（６）から求めることができる。
【００４６】
Ｓ（ｐ、ｑ）＝（Ｍａｘ（ｐ、ｑ）−Ｍｉｎ（ｐ、ｑ））／Ｍａｘ（ｐ、ｑ）・・・（５）
【００４７】
Ｖ（Ｓ）（ｐ、ｑ）＝Ｍａｘ（ｐ、ｑ）・・・（６）
【００４８】
ここで、Ｍａｘ（ｐ、ｑ）は、（ｘ１−（ｐ、ｑ）、ｘ２−（ｐ、ｑ）、ｘ３−（ｐ、ｑ））の３個の副画素４９の第２信号値の最大値であり、Ｍｉｎ（ｐ、ｑ）は、（ｘ１−（ｐ、ｑ）、ｘ２−（ｐ、ｑ）、ｘ３−（ｐ、ｑ））３個の副画素４９の第２信号値の最小値である。
【００４９】
白色を表示する第４副画素４９Ｗには、カラーフィルタが配置されていない。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るい。第１副画素４９Ｒに第１副画素４９Ｒの第３信号の最大信号値に相当する値を有する信号が入力され、第２副画素４９Ｇに第２副画素４９Ｇの第３信号の最大信号値に相当する値を有する信号が入力され、第３副画素４９Ｂに第３副画素４９Ｂの第３信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの第３信号の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置に依存した定数としたとき、定数χは、χ＝ＢＮ４／ＢＮ１−３で表される。
【００５０】
具体的には、第１副画素４９Ｒ、第２副画素４９Ｇ及び第３副画素４９Ｂの集合体に、次の表示階調の値を有する第２信号として、信号値ｘ１−（ｐ、ｑ）の最大値、信号値ｘ２−（ｐ、ｑ）の最大値、信号値ｘ３−（ｐ、ｑ）の最大値が入力されたときにおける白色の輝度ＢＮ１−３に対して、第４副画素４９Ｗに表示階調の最大値を有する第２信号が入力されたと仮定したときの輝度ＢＮ４は、例えば、１．５倍である。すなわち、本実施形態にあっては、χ＝１．５である。
【００５１】
ところで、信号値Ｘ４−（ｐ、ｑ）が、上述した式（４）で与えられる場合、明度の最大値Ｖｍａｘ（Ｓ）は、次の式（７）、式（８）で表すことができる。
【００５２】
Ｓ≦Ｓ０の場合、
Ｖｍａｘ（Ｓ）＝（χ＋１）・（２ｎ−１）・・・（７）
【００５３】
Ｓ０＜Ｓ≦１の場合、
Ｖｍａｘ（Ｓ）＝（２ｎ−１）・（１／Ｓ）・・・（８）
ここで、Ｓ０＝１／（χ＋１）である。言い換えれば、Ｓ０は、彩度Ｓに対する閾値である。第２信号値の彩度ＳがＳ０以下である場合、第４副画素４９Ｒを最大限点灯した場合の明度を再現でき、第２信号値の彩度ＳがＳ０より高い場合、第４副画素４９Ｒを最大限点灯した場合の明度を再現することができなくなる。
【００５４】
このようにして得られた、第４の色を加えることによって拡大されたＨＳＶ色空間における彩度Ｓを変数とした明度の最大値Ｖｍａｘ（Ｓ）が、例えば、信号処理部２０に一種のルックアップテ−ブルとして記憶されている。あるいは、拡大されたＨＳＶ色空間における彩度Ｓを変数とした明度の最大値Ｖｍａｘ（Ｓ）は、都度、信号処理部２０において求められる。
【００５５】
次に、第（ｐ、ｑ）番目の画素４８における第３信号である信号値Ｘ１−（ｐ、ｑ）、Ｘ２−（ｐ、ｑ）、Ｘ３−（ｐ、ｑ）、Ｘ４−（ｐ、ｑ）の求め方（伸張処理）を説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、第２信号値の全てが０である場合又は小さい場合、このような画素４８又は画素４８の群を含めることなく、伸張係数αを求めればよい。
【００５６】
（第１工程）
まず、信号処理部２０は、複数の画素４８における副画素４９の第２信号値に基づき、これらの複数の画素４８における彩度Ｓ及び明度Ｖ（Ｓ）を求める。具体的には、第（ｐ、ｑ）番目の画素４８への第１副画素４９Ｒの第２信号である信号値ｘ１−（ｐ、ｑ）、第２副画素４９Ｇの第２信号である信号値ｘ２−（ｐ、ｑ）、第３副画素４９Ｂの第２信号である信号値ｘ３−（ｐ、ｑ）に基づき、式（７）及び式（８）からＳ（ｐ、ｑ）、Ｖ（Ｓ）（ｐ、ｑ）を求める。信号処理部２０は、この処理を、全ての画素４８に対して行う。
【００５７】
（第２工程）
次いで、信号処理部２０は、複数の画素４８において求められたＶｍａｘ（Ｓ）／Ｖ（Ｓ）に基づき、次式（９）を用いて伸張係数α（Ｓ）を求める。
【００５８】
α（Ｓ）＝Ｖｍａｘ（Ｓ）／Ｖ（Ｓ）・・・（９）
【００５９】
（第３工程）
次に、信号処理部２０は、第（ｐ、ｑ）番目の画素４８における信号値Ｘ４−（ｐ、ｑ）を、少なくとも、信号値ｘ１−（ｐ、ｑ）、信号値ｘ２−（ｐ、ｑ）及び信号値ｘ３−（ｐ、ｑ）に基づいて求める。本実施形態にあっては、信号処理部２０は、信号値Ｘ４−（ｐ、ｑ）を、Ｍｉｎ（ｐ、ｑ）、伸張係数α及び定数χに基づいて決定する。より具体的には、信号処理部２０は、上述したとおり、信号値Ｘ４−（ｐ、ｑ）を、上記の式（４）に基づいて求める。信号処理部２０は、Ｐ０×Ｑ０個の全画素４８において信号値Ｘ４−（ｐ、ｑ）を求める。
【００６０】
（第４工程）
その後、信号処理部２０は、第（ｐ、ｑ）番目の画素４８における信号値Ｘ１−（ｐ、ｑ）を、信号値ｘ１−（ｐ、ｑ）、伸張係数α及び信号値Ｘ４−（ｐ、ｑ）に基づき求め、第（ｐ、ｑ）番目の画素４８における信号値Ｘ２−（ｐ、ｑ）を、信号値ｘ２−（ｐ、ｑ）、伸張係数α及び信号値Ｘ４−（ｐ、ｑ）に基づき求め、第（ｐ、ｑ）番目の画素４８における信号値Ｘ３−（ｐ、ｑ）を、信号値ｘ３−（ｐ、ｑ）、伸張係数α及び信号値Ｘ４−（ｐ、ｑ）に基づき求める。具体的には、信号処理部２０は、第（ｐ、ｑ）番目の画素４８における信号値Ｘ１−（ｐ、ｑ）、信号値Ｘ２−（ｐ、ｑ）及び信号値Ｘ３−（ｐ、ｑ）を、上記の式（１）〜（３）に基づいて求める。
【００６１】
信号処理部２０は、式（４）に示したとおり、Ｍｉｎ（ｐ、ｑ）の値を伸張係数αによって伸張する。このように、Ｍｉｎ（ｐ、ｑ）の値が伸張係数αによって伸張されることで、白色表示副画素（第４副画素４９Ｗ）の輝度が増加するだけでなく、上記式に示すとおり、赤色表示副画素、緑色表示副画素及び青色表示副画素（それぞれ第１副画素４９Ｒ、第２副画素４９Ｇ及び第３副画素４９Ｂに対応する）の輝度も増加する。このため、色のくすみが発生するといった問題を回避することができる。すなわち、Ｍｉｎ（ｐ、ｑ）の値が伸張されていない場合と比較して、Ｍｉｎ（ｐ、ｑ）の値が伸張係数αによって伸張されることで、画像全体として輝度はα倍となる。従って、例えば、静止画等の画像表示を高輝度で行うことができ、好適である。
【００６２】
図９に示すように、信号処理部２０は、表示データの演算ステップ（ステップＳ１７）を処理するとともに、第２信号ｒｇｂの画像解析を行う（ステップＳ１３）。ここでは、画像解析部２３における第２信号ｒｇｂの画像解析（ステップＳ１３）について説明する。
【００６３】
画像解析部２３は、第２信号ｒｇｂに基づいて、輝度判定ブロック（画像表示パネル３０の表示領域を複数の分割領域に分割したブロック）毎の伸張係数αｂを求め、画像処理部２２に出力する。ここで、輝度判定ブロックについて説明する。図１０は、実施形態に係る輝度判定ブロックの一例を示す図である。
【００６４】
本実施形態では、複数の光源５６Ａ、５６Ｂ、５６Ｃ、５６Ｄ、５６Ｅ及び５６Ｆに対して個々に独立してパネル輝度の制御を行う。このため、本実施形態では、画像解析部２３において、輝度判定ブロック毎に、輝度判定ブロック内の画素４８の第２信号値に基づく伸張係数及びその逆数が算出される。以下では、輝度判定ブロック毎の伸張係数をαｂと表記し、その逆数を（１／αｂ）と表記する。
【００６５】
本実施形態において、輝度判定ブロック（単にブロックともいう）とは、図１０に示すように、入光方向ＬＸに順に並ぶ入光部Ｌｉｎ、中央部Ｌｍｉｄ、反入光部Ｌｏｕｔの列が光源配列方向ＬＹに複数配列されている。入光部Ｌｉｎ、中央部Ｌｍｉｄ、反入光部Ｌｏｕｔは、画像表示パネル３０の第１表示面３１（図３参照）を光源配列方向ＬＹ及び入光方向ＬＸにマトリクス状に仮想的に複数分割して得られる輝度判定ブロックである。本実施形態に係る輝度判定ブロックは、光源配列方向ＬＹに６列、入光方向ＬＸに３行配置されている。図１０に示す入光部Ｌｉｎ、中央部Ｌｍｉｄ、反入光部Ｌｏｕｔからなる輝度判定ブロックの列の、光源配列方向ＬＹにおける数は、光源５６Ａ、５６Ｂ、５６Ｃ、５６Ｄ、５６Ｅ及び５６Ｆの数に対応している。図１０に示す輝度判定ブロックにおいて、入光方向ＬＸの輝度判定ブロックの数は、入光部Ｌｉｎ、中央部Ｌｍｉｄ、反入光部Ｌｏｕｔの３つである。入光方向ＬＸの中心線ＬＸｃには、入光部Ｌｉｎ、中央部Ｌｍｉｄ、反入光部Ｌｏｕｔの順に近くなる。本実施形態では、光源配列方向ＬＹの位置が同じ３つのブロック（入光部Ｌｉｎ、中央部Ｌｍｉｄ、反入光部Ｌｏｕｔ）を１つのグループとして扱う。従って、光源配列方向ＬＹに複数のグループが並ぶ。複数のグループのそれぞれを順次注目グループに設定して、後述する処理を行う。
【００６６】
画像解析部２３は、各輝度判定ブロックに含まれる画素４８の第２信号値に基づいて、各輝度判定ブロック内の画素４８に適用される伸張係数αｂ及び各輝度判定ブロックにおける（１／αｂ）値を算出する。
【００６７】
各輝度判定ブロック内の画素４８に適用される伸張係数αｂは、式（９）を変形した下記の式（９）’を用いて算出することができる。式（９）’において、Ｖｍａｘｂは、各輝度判定ブロック内における明度の最大値を示し、Ｖｂは、各輝度判定ブロック内における複数の画素４８における明度を示している。
【００６８】
αｂ＝Ｖｍａｘｂ／Ｖｂ・・・（９）’
【００６９】
次に、後述する処理において使用されるルックアップテーブルについて説明する。図１１は、特定の光源から入射する入射光が導光板から画像表示パネルの平面に照射される光強度分布の情報を説明するための模式図である。図１２は、ルックアップテーブルを説明するための模式図である。本実施形態では、光源データ記憶部２５は、Ｍ×Ｎの配列要素からなる配列データであって、各配列要素毎に、光の強度の代表値を格納したルックアップテーブル（ＬＵＴ：Lookup  table）を複数記憶している。ここで、Ｍは、光源配列方向ＬＹの配列要素数（列数）、Ｎは、入光方向ＬＸの配列要素数（行数）を示す。Ｍ×Ｎの配列要素は例えば、各画素４８に対応した配列要素とされるが、各画素４８に対応した配列要素を等間隔で間引いて記憶させることも可能である。あるいは、画像表示パネル３０の平面を仮想的にＭ×Ｎ個に分割したときの分割領域毎の光の強度の代表値が、各ルックアップテーブルに格納される構成としてもよい。この場合、代表値は、例えば、当該分割領域内の光の強度の平均値、あるいは当該分割領域内の光の強度の中央値、あるいは当該分割領域の何れかの位置の光の強度値であってもよい。また、ここではルックアップテーブルのデータが分割領域毎の代表値である場合を説明したが、これに限定されるものではない。
【００７０】
本実施形態では、図３に示す画像表示パネル３０の平面を仮想的にＭ×Ｎ個に分割したときの分割領域毎の光の強度の代表値が、各ルックアップテーブルに格納される。そして、光源毎にルックアップテーブルが光源データ記憶部２５に記憶されている。例えば、図１２に示すように、光源データ記憶部２５には、図３に示す光源５６Ａのみが所定の光源点灯量で点灯した場合、光源５６Ａから導光板５４に入射する入射光が導光板５４から画像表示パネル３０の平面に照射される光強度分布の情報（図４参照）をルックアップテーブルＬＵＴＡとして記憶している。また、光源データ記憶部２５には、図３に示す光源５６Ｂのみが前記所定の光源点灯量で点灯した場合、光源５６Ｂから導光板５４に入射する入射光が導光板５４から画像表示パネル３０の平面に照射される光強度分布の情報をルックアップテーブルＬＵＴＢとして記憶している。また、光源データ記憶部２５には、図３に示す光源５６Ｃのみが前記所定の光源点灯量で点灯した場合、光源５６Ｃから導光板５４に入射する入射光が導光板５４から画像表示パネル３０の平面に照射される光強度分布の情報をルックアップテーブルＬＵＴＣとして記憶している。また、光源データ記憶部２５には、図３に示す光源５６Ｄのみが前記所定の光源点灯量で点灯した場合、光源５６Ｄから導光板５４に入射する入射光が導光板５４から画像表示パネル３０の平面に照射される光強度分布の情報をルックアップテーブルＬＵＴＤとして記憶している。また、光源データ記憶部２５には、図３に示す光源５６Ｅのみが前記所定の光源点灯量で点灯した場合、光源５６Ｅから導光板５４に入射する入射光が導光板５４から画像表示パネル３０の平面に照射される光強度分布の情報をルックアップテーブルＬＵＴＥとして記憶している。また、光源データ記憶部２５には、図３に示す光源５６Ｆのみが前記所定の光源点灯量で点灯した場合、光源５６Ｆから導光板５４に入射する入射光が導光板５４から画像表示パネル３０の平面に照射される光強度分布の情報をルックアップテーブルＬＵＴＦとして記憶している。
【００７１】
本実施形態のルックアップテーブルＬＵＴＡ、ＬＵＴＢ、ＬＵＴＣ、ＬＵＴＤ、ＬＵＴＥ及びＬＵＴＦは、光源５６Ａ、５６Ｂ、５６Ｃ、５６Ｄ、５６Ｅ及び５６Ｆの１つずつに対応する。本実施形態のルックアップテーブルは、光源５６Ａ、５６Ｂ、５６Ｃ、５６Ｄ、５６Ｅ及び５６Ｆのうち、例えば、光源５６Ａ、５６Ｂの組、光源５６Ｃ、５６Ｄの組、光源５６Ｅ、５６Ｆの組がそれぞれ同時点灯した場合のルックアップテーブルを記憶してもよい。これにより、ルックアップテーブルの作成作業を省力化できるとともに、光源データ記憶部２５の記憶容量を低減できる。その結果、光源データ記憶部２５を格納する集積回路を小型化できる。
【００７２】
光源駆動値演算部２４は、光源データ記憶部２５のルックアップテーブルＬＵＴＡ、ＬＵＴＢ、ＬＵＴＣ、ＬＵＴＤ、ＬＵＴＥ及びＬＵＴＦを参照し、各光源点灯量が、ブロック毎の（１／αｂ）倍に近くなるように、ルックアップテーブルＬＵＴＡ、ＬＵＴＢ、ＬＵＴＣ、ＬＵＴＤ、ＬＵＴＥ及びＬＵＴＦを重ね合わせて、光源５６Ａ、５６Ｂ、５６Ｃ、５６Ｄ、５６Ｅ及び５６Ｆの各々の光源点灯量を演算する（ステップＳ１４）。例えば、第（ｉ、ｊ）番目の、ルックアップテーブルＬＵＴＡ、ＬＵＴＢ、ＬＵＴＣ、ＬＵＴＤ、ＬＵＴＥ及びＬＵＴＦを重ね合わせて得られる代表輝度（ただし、１≦ｉ≦Ｎ、１≦ｊ≦Ｍ）は、下記式（１０）で演算できる。
【００７３】
【数１】
2018031920.tif 000003
【００７４】
これにより、光源駆動値演算部２４は、複雑な演算処理を単純なルックアップテーブルＬＵＴＡ、ＬＵＴＢ、ＬＵＴＣ、ＬＵＴＤ、ＬＵＴＥ及びＬＵＴＦの参照処理で置き換えて、演算量を低減できる。
【００７５】
上述したように、画像表示パネル駆動部４０が画像表示パネル３０を表示させるには、画素４８単位での輝度分布が必要となる。そこで、光源駆動値決定部２６は、ステップＳ１４で求めた光源５６Ａ、５６Ｂ、５６Ｃ、５６Ｄ、５６Ｅ及び５６Ｆの光源点灯量と、ルックアップテーブルＬＵＴＡ、ＬＵＴＢ、ＬＵＴＣ、ＬＵＴＤ、ＬＵＴＥ及びＬＵＴＦに基づいて、画素４８単位の輝度分布の演算を行う（ステップＳ１５）。画素４８単位の輝度分布の演算処理は、画素４８単位の輝度の情報を補間演算により演算する。これにより、画素４８単位の情報は、非常に情報量が多くなるが、本実施形態では、間引いた代表値でルックアップテーブルＬＵＴＡ、ＬＵＴＢ、ＬＵＴＣ、ＬＵＴＤ、ＬＵＴＥ及びＬＵＴＦを作成しているので、演算負荷を小さくできる。
【００７６】
画素４８毎の輝度の情報は、光源配列方向ＬＹの変化が急峻であり、入光方向ＬＸの変化がなだらかな変化である。図１３は、線形補間の演算を説明するための説明図である。図１４は、多項式補間の演算を説明するための説明図である。入光方向ＬＸの各画素４８における輝度の情報は、図１３に示す線形補間の処理がされ、光源配列方向ＬＹの各画素４８における輝度の情報は、図１４に示す多項式補間の処理がされることで補間演算される。多項式補間は、例えば、キュービック補間である。これにより、ルックアップテーブルＬＵＴＡ、ＬＵＴＢ、ＬＵＴＣ、ＬＵＴＤ、ＬＵＴＥ及びＬＵＴＦは、光源配列方向ＬＹに少なくとも光源の光のピーク位置、光源間の位置の光の強度値が格納されていればよい。
【００７７】
図１５は、実施形態に係る画像解析及び光源駆動値演算ステップの詳細なフローチャートである。図１６は、実施形態に係る各光源の駆動値を決定するステップを説明するフローチャートである。図１７は、実施形態に係る識別（フラグ）された輝度判定ブロックを説明するための説明図である。以下、図１５から図１７を参照して、画像解析及び光源駆動値演算ステップを説明する。
【００７８】
画像解析部２３は、各輝度判定ブロックに含まれる第２信号値に基づいて、各輝度判定ブロックの（１／αｂ）値を、前述したように算出する。光源駆動値演算部２４は、１つのグループを注目グループに設定した後、図１６に示すように、注目グループの各ブロック（入光方向ＬＸに並ぶ各ブロック）の上記算出された（１／αｂ）値を入力（取得）し（ステップＳ３１）、入光部Ｌｉｎの（１／αｂ）値を最大値に設定する（ステップＳ３２）。次に、注目グループ内の中央部Ｌｍｉｄ、すなわち、ステップＳ３２で設定した入光部Ｌｉｎと光源配列方向ＬＹにおいて同じ位置にある中央部Ｌｍｉｄの（１／αｂ）値が、最大値より大きい場合（ステップＳ３３、Ｙｅｓ）、中央部Ｌｍｉｄの（１／αｂ）値を最大値に設定する（ステップＳ３４）。注目グループ内の中央部Ｌｍｉｄの（１／αｂ）値が、最大値以下の場合（ステップＳ３３、Ｎｏ）、そのまま入光部Ｌｉｎの（１／αｂ）値を最大値として、ステップＳ３５へ処理を進める。
【００７９】
次に、注目グループ内の反入光部Ｌｏｕｔ、すなわち、ステップＳ３２で設定した入光部Ｌｉｎと光源配列方向ＬＹにおいて同じ位置にある反入光部Ｌｏｕｔの（１／αｂ）値が、最大値より大きい場合（ステップＳ３５、Ｙｅｓ）、反入光部Ｌｏｕｔの（１／αｂ）値を最大値に設定する（ステップＳ３６）。注目グループ内の反入光部Ｌｏｕｔの（１／αｂ）値が、最大値以下の場合（ステップＳ３５、Ｎｏ）、最大値を変更せずに、ステップＳ３７へ処理を進める。
【００８０】
光源駆動値演算部２４は、最大値の（１／αｂ）値を光源駆動値として仮設定し記憶する（ステップＳ３７）。なお、ここでは、前述したように、各輝度判定ブロックの第２信号値に基づいて算出した各輝度判定ブロックの（１／αｂ）値を比較し、注目グループの最大値を特定する例について説明したが、本開示はこれに限定されない。例えば、各輝度判定ブロックの第２信号値に基づいて算出した各輝度判定ブロックの（１／αｂ）値に、ルックアップテーブルに格納された、各輝度判定ブロックに該当する位置の光強度値を乗算し、当該乗算して得られた値を比較して、グループ毎に最大値を特定するようにしてもよい。
【００８１】
光源駆動値を（１／αｉ−ｍａｘ）とした場合、光源駆動値演算部２４は、注目グループの入光部Ｌｉｎ、中央部Ｌｍｉｄ、反入光部Ｌｏｕｔの輝度指標を下記式（１１）〜（１３）で算出する（ステップＳ３８）。なお、下記式（１１）、（１２）、（１３）のＬＵＴｍ(ＰＬｉｎ、ＱＬｉｎ)はルックアップテーブルｍのＰＬｉｎ行目、ＱＬｉｎ列目のデータを表すが、ＰＬｉｎ行目、ＱＬｉｎ列目のデータは画素毎のデータや輝度判定ブロック毎のデータ、あるいは画像表示パネル３０を仮想的に所定の領域に分割した分割領域毎のデータでもよい。ＬＵＴｍ(ＰＬｍｉｄ、ＱＬｍｉｄ)、及びＬＵＴｍ(ＰＬｏｕｔ、ＱＬｏｕｔ)も同様である。
【００８２】
【数２】
2018031920.tif 000004
【００８３】
【数３】
2018031920.tif 000005
【００８４】
【数４】
2018031920.tif 000006
【００８５】
光源駆動値演算部２４は、ステップＳ３８で得られた入光部Ｌｉｎ、中央部Ｌｍｉｄ、反入光部Ｌｏｕｔの輝度指標のうち、最も大きい輝度指標を特定する（ステップＳ３９）。
【００８６】
次に、光源駆動値演算部２４は、ステップＳ３９で特定した輝度指標に対応する（１／αｂ）を目標（１／αｂ）値として記憶し、かつ注目グループ内の入光部Ｌｉｎ、中央部Ｌｍｉｄ、反入光部Ｌｏｕｔのうちの１つのブロックであって上記特定した輝度指標に対応するブロックである特定したブロックの位置を記憶する（ステップＳ４０）。これにより、特定したブロックが、輝度補正の対象とする輝度判定ブロックとなり、識別された輝度判定ブロックの（１／αｂ）が、当該輝度判定ブロックが属するグループの目標（１／αｂ）値となる。以下、「輝度補正の対象とするブロック」を、単に「輝度補正対象ブロック」と呼称する場合もある。
【００８７】
これにより、図１７に示す例では、丸（○）のフラグで識別された輝度判定ブロックが最大値に設定されている情報を示すことになる。
【００８８】
目標（１／αｂ）値の決定後、図１５に示すように、画像解析部２３は、輝度判定ブロックのエリア判定を行う（ステップＳ２０）。そして、注目グループを設定し、光源駆動値演算部２４は、設定した注目グループにおいて輝度補正対象ブロックの（１／αｂ）値を算出する（ステップＳ２１）。ここで算出される（１／αｂ）値は、上記仮設定された（或いは後述する処理により補正された）光源駆動値の各々により各光源が点灯されたと仮定したときの輝度補正対象ブロックの輝度に対応する値であって、各輝度補正対象ブロック毎（光源毎）の光源駆動値とは異なる。この（１／αｂ）値は、光源５６Ａ、５６Ｂ、５６Ｃ、５６Ｄ、５６Ｅ及び５６Ｆに対応するルックアップテーブルの光強度値を用いて演算できる。例えば、以下の式（１４）を用いて、輝度補正対象ブロックの（１／αｂ）値を算出する。
【００８９】
【数５】
2018031920.tif 000007
【００９０】
上記式（１４）において、（１／αＧ）が、ステップＳ２１における輝度補正対象ブロックの（１／αｂ）値の算出結果を示す。ＬＵＴｍ(Ｐ、Ｑ)は、ルックアップテーブルｍのＰ行目、Ｑ列目のデータ（光強度値）を表す。また、（１／αｋ）は、各グループの輝度補正対象ブロックの光源駆動値（１／αｂ）である。また、本例では、各グループは、光源５６Ａ、５６Ｂ、５６Ｃ、５６Ｄ、５６Ｅ及び５６Ｆのいずれかに対応し、ルックアップテーブルＬＵＴＡ〜ＬＵＴＦは、各光源５６Ａ〜５６Ｆに対応する。したがって、上記式（１４）では、まず、各グループの輝度補正対象ブロックの光源駆動値に、各グループ（各光源）に対応するルックアップテーブルにおける当該輝度補正対象ブロックの位置（Ｐ、Ｑ）のデータを乗算する。そして、当該乗算して得られた値の合計値を算出することにより、全ての光源からの光の影響が考慮された（１／αｂ）値（上記式（１４）では（１／αＧ）値）を算出することができる。また、ここでは、（１／αｋ）として、各グループの輝度補正対象ブロックの最新の（１／αｂ）値を用いる。すなわち、後述する処理を経て注目グループの輝度補正対象ブロックの輝度補正（（１／αｂ）値の補正）がなされた後は、当該注目グループより後に輝度補正されるグループの輝度補正対象ブロックについてのステップＳ２１の算出処理において、当該注目グループの輝度補正対象ブロックの（１／αｋ）値として、輝度補正後の（１／αｂ）値が用いられることになる。
【００９１】
次に、図１５に示すように、光源駆動値演算部２４は、注目グループの目標（１／αｂ）値を取得して（ステップＳ２２）、以下に説明する輝度補正処理（光源駆動値の補正処理）を行う。
【００９２】
図１８から図２２において、光源配列方向ＬＹの位置が同じ入光部Ｌｉｎ、中央部Ｌｍｉｄ、反入光部Ｌｏｕｔのそれぞれの照明方向ＬＺへの光源点灯量の大きさが模式的に表されている。光源配列方向ＬＹの位置が同じ入光部Ｌｉｎ、中央部Ｌｍｉｄ、反入光部Ｌｏｕｔのうち、例えば、入光部Ｌｉｎにおける（１／αｂ）値及び輝度指標が最大値の場合、図１８に示すように、理想の光源の光源点灯量を示す曲線Ｕａは、図１９に示す実際の光源の光源点灯量を示す曲線Ｕｂと同じような値を示す。これは、光源から入射された光が第１入射面Ｅ１から離れるにしたがって、低減する特性を有しているからである。このため、例えば図２０に示すように、光源配列方向ＬＹの位置が同じ入光部Ｌｉｎ、中央部Ｌｍｉｄ、反入光部Ｌｏｕｔは、例えば、中央部Ｌｍｉｄにおける（１／αｂ）値が最大値の場合、理想の光源の光源点灯量を示す曲線Ｕａは、単独の光源では、曲線Ｕａの輝度を確保することが難しく、図２１に示す実際の光源の光源点灯量を示す曲線Ｕｂのように、本来不要な入光部Ｌｉｎで輝度を増やし、入光部Ｌｉｎにおける（１／αｂ）値を最大にする必要がある。従って、この場合、中央部Ｌｍｉｄの輝度指標が最大値となる。ここで、中央部Ｌｍｉｄのブロックの最も光源に近い位置の光の強度値を用いて輝度指標を算出すると、光源点灯量を示す曲線Ｕｃのように中央部Ｌｍｉｄ及び反入光部Ｌｏｕｔにおける（１／αｂ）値が不足する可能性がある。従って、輝度指標は各ブロックにおいて光源から最も遠い位置の光の強度値を用いて算出する必要がある。更に、図２２のように、中央部Ｌｍｉｄの１／αｂが最も大きい場合においても、中央部Ｌｍｉｄが必要とされる輝度になるように光源点灯量を設定したにもかかわらず曲線Ｕｂのような光の特性となり、反入光部Ｌｏｕｔに必要な輝度が供給されない場合がある。この場合は曲線Ｕｂ２に示される特性になるような光源の点灯量に設定する必要があり、これを判定するのが輝度指標である。すなわちこの場合は反入光部Ｌｏｕｔの輝度指標が最大となる。また、本実施形態に係る、第１サイドライト光源５２Ａは、光源５６Ａ、５６Ｂ、５６Ｃ、５６Ｄ、５６Ｅ及び５６Ｆの分割駆動制御をすることができる。これにより、図２３に示すように、光源の光源点灯量を示す曲線Ｕｄが曲線Ｕｅに補正される。図２３に示すように、光源配列方向ＬＹの少なくとも、輝度の頂点と谷間（Ｄ０〜Ｄ４）のデータ位置及び輝度を光源配列方向ＬＹに保持しつつ、入光方向ＬＸには、入光部Ｌｉｎ、中央部Ｌｍｉｄ、反入光部Ｌｏｕｔのそれぞれ少なくとも１つ以上のデータを保持する。そして、図２３に示す曲線Ｕｄが曲線Ｕｅに補正されると、輝度の頂点と谷間（Ｄ０〜Ｄ４）のデータ位置及び輝度のうち、輝度の頂点Ｄ１及びＤ３の位置が変更される。
【００９３】
注目グループに含まれる輝度補正対象ブロックの上記ステップＳ２１で算出した（１／αｂ）値が、注目グループの上述した目標（１／αｂ）より小さい場合（ステップＳ２３、Ｙｅｓ）、算出した（１／αｂ）値と目標（１／αｂ）との差分を算出する（ステップＳ２４）。次に、光源駆動値演算部２４は、差分の倍率を算出する（ステップＳ２５）。光源駆動値演算部２４は、差分がその位置のルックアップテーブルの何倍に当たるか算出する。具体的には、輝度補正の対象とするブロックの光源配列方向ＬＹにおける位置に対応する光源のルックアップテーブルから、輝度補正の対象とするブロックの位置に対応するデータを読み出す。読み出したデータを便宜上Ｐｅｒｃｅｎｔａｇｅと呼称する。そして、上記算出した（１／αｂ）値と目標（１／αｂ）との差分Ｓｕｂを、Ｐｅｒｃｅｎｔａｇｅで除算した値がここで算出される倍率である。本実施形態において、ルックアップテーブルＬＵＴＡ〜ＬＵＴＦには、光源を最大出力（１００％の出力）で点灯させた場合の光強度分布が記憶されている。したがって、上記差分をルックアップテーブルの光強度値で除算すれば、１００％の光強度値に対する差分の割合（倍率）が求められる。
【００９４】
次に、上記算出した差分の倍率を、上記第２信号に基づいて算出され、上記ステップＳ３７において仮設定した（１／αｂ）値に加算する（ステップＳ２６）。すなわち、ステップＳ２１で算出した（１／αｂ）値がブロックの目標（１／αｂ）値よりも小さい場合は、差分の倍率を上記仮設定した（１／αｂ）値に加算する（ステップＳ２６）ことで、輝度が不足しているブロックの輝度を補うことが可能となる。次に、処理をステップＳ２７に進める。
【００９５】
一方、ステップＳ２１で算出した（１／αｂ）値が、注目グループの上述した目標（１／αｂ）値以上の場合（ステップＳ２３、Ｎｏ）、ステップＳ２４〜Ｓ２６をスキップして、処理をステップＳ２７へ進める。次に、輝度補正対象ブロックの（１／αｂ）値が上限値を超えている場合（ステップＳ２７、Ｙｅｓ）、（１／αｂ）値を上限値へ変更するクリッピングを行う（ステップＳ２８）。なお、ステップＳ２７で上限値と比較される輝度補正対象ブロックの（１／αｂ）値は、上記ステップＳ２３で肯定判定された場合には、上記ステップＳ２６で補正された後の光源駆動値（１／αｂ）であり、上記ステップＳ２３で否定判定された場合には、仮設定のままの光源駆動値（１／αｂ）である。また、上限値は、光源制御における光源駆動値の上限値として予め設定しておく。そして、ステップＳ２８の後は、処理をステップＳ３０に進める。一方、輝度補正対象ブロックの（１／αｂ）値が上限値を超えていない場合（ステップＳ２７、Ｎｏ）、ステップＳ２８をスキップして、ステップＳ３０に進む。全グループのスキャンが終了している場合には（ステップＳ３０、Ｙｅｓ）、図１５の処理を終了する。また、全グループのスキャンが終了していない場合には（ステップＳ３０、Ｎｏ）、次のグループを注目グループに設定して、ステップＳ２１に戻る。以上の処理により、ステップＳ３７で仮設定された各ブロック毎の光源駆動値（１／αｂ）が補正される。ただし、ステップＳ２３及びＳ２７で否定判定された場合には、仮設定された光源駆動値が補正されない場合もある。この場合には、仮設定された光源駆動値がそのまま光源の光源点灯量の制御に用いられる。こうして得られた各ブロック毎の（１／αｂ）値から光源点灯量が演算される。このように演算された各輝度補正対象ブロックの（１／αｂ）が、各光源の光源駆動値（１／αｋ）として用いられる。そして、複数の光源５６Ａ、５６Ｂ、５６Ｃ、５６Ｄ、５６Ｅ及び５６Ｆの各光源駆動値（１／αｋ）が演算できる。この光源駆動値（１／αｋ）及びルックアップテーブルを用いて、上述した式（１０）に示すように代表輝度が演算される。
【００９６】
第２サイドライト光源５２Ｂの複数の光源５７Ａ、５７Ｂ、５７Ｃ、５７Ｄ、５７Ｅ及び５７Ｆのそれぞれについても同様に代表輝度が演算できる。このように、各輝度補正対象ブロックの（１／αｂ）値が各目標（１／αｂ）値となるように、仮設定した各（１／αｂ）値が補正され、補正された各（１／αｂ）値により各光源の光源点灯量が制御される。すなわち、これにより、各輝度補正対象ブロックの輝度が目標輝度を満たすように各光源の光源点灯量が制御される。
【００９７】
以上説明した光源駆動値の演算処理は、図１７に示すように、導光板５４の片側面の入射面（例えばＥ１）に対向する位置にのみ、サイドライト光源が設けられた表示装置にも適用可能である。また、図３に示すように、導光板５４の両側面の入射面（例えばＥ１、Ｅ２）に対向する位置の各々に、サイドライト光源（第１サイドライト光源５２Ａ、第２サイドライト光源５２Ｂ）が各々配置される表示装置にも適用可能である。この場合には、第１サイドライト光源５２Ａ、及び第２サイドライト光源５２Ｂのうちいずれか一方のみを点灯させて画像を表示させる場合に適用できる。更に、第１サイドライト光源５２Ａ、第２サイドライト光源５２Ｂの両方を点灯させて画像を表示させる場合にも適用可能である。しかしながら、第１表示面３１は、第１サイドライト光源５２Ａから照射される光だけでなく第２サイドライト光源５２Ｂから照射される光の影響も受け、第２表示面３２は、第２サイドライト光源５２Ｂから照射される光だけでなく第１サイドライト光源５２Ａから照射される光の影響も受ける。従って、２つのサイドライト光源の光源駆動値（１／αｂ）をサイドライト光源毎に求めるのではなく、２つのサイドライト光源の相互の影響を考慮して光源駆動値（１／αｂ）を演算することが好ましい。
【００９８】
以下の実施形態は、第１サイドライト光源５２Ａの各光源と、第２サイドライト光源５２Ｂの各光源が相互に寄与する光を考慮して、各光源の光源駆動値（１／αｋ）をより精度よく演算する例である。
【００９９】
図２４は、本実施形態に係る識別（フラグ）された輝度判定ブロックを説明するための説明図である。ここで、第１サイドライト光源５２Ａの各光源と、第２サイドライト光源５２Ｂの各光源を用いる場合のブロックの配置について説明する。画像表示パネル３０の第２表示面３２にも、入光部Ｌｉｎ、中央部Ｌｍｉｄ、反入光部Ｌｏｕｔが、光源配列方向ＬＹ及び入光方向ＬＸにマトリクス状に仮想的に複数分割して設定される。画像表示パネル３０の第２表示面３２において、入光方向ＬＸの中心線ＬＸｃには、入光部Ｌｉｎ、中央部Ｌｍｉｄ、反入光部Ｌｏｕｔの順に近くなる。これにより、光源配列方向ＬＹの位置が同じ３つのブロック（入光部Ｌｉｎ、中央部Ｌｍｉｄ、反入光部Ｌｏｕｔ）が入光方向ＬＸの中心線ＬＸｃで線対称となっている。また、図２４に示す第２表示面３２において、入光部Ｌｉｎ、中央部Ｌｍｉｄ、反入光部Ｌｏｕｔからなる輝度判定ブロックの列の、光源配列方向ＬＹにおける数は、光源５７Ａ、５７Ｂ、５７Ｃ、５７Ｄ、５７Ｅ及び５７Ｆの数に対応している。
【０１００】
第２表示面３２において、光源配列方向ＬＹの位置が同じ３つのブロック（入光部Ｌｉｎ、中央部Ｌｍｉｄ、反入光部Ｌｏｕｔ）を１つのグループとして扱う。従って、光源配列方向ＬＹに複数のグループが並ぶ。これら第２表示面３２の複数のグループは、ステップＳ３０における全グループに含まれる。したがって、図１６において、第１表示面３１のグループ及び第２表示面３２のグループの各々について、光源駆動値が仮設定されると共に目標（１／αｂ）が求められ、かつ、図１５においては、第１表示面３１のグループのスキャンが終了していても、第２表示面３２のグループのスキャンが終了していない場合には（ステップＳ３０、Ｎｏ）、次のグループを注目グループに設定して、ステップＳ２１に戻ることになる。
【０１０１】
その結果、図２４に示すように、丸（○）のフラグで識別された輝度判定ブロックが第１表示面３１と第２表示面３２とで独立して、設定される。例えば、図２４に示す光源５６Ａと光源５７Ａとに対応する２つのグループにおいて、上述した図１９に例示したように、それぞれの入光部Ｌｉｎの輝度が高い。図２５は、輝度判定ブロックの実際の輝度を説明する説明図である。第１表示面３１側の光源５６Ａの光源点灯量を示す曲線Ｕ５６Ａは、入光部Ｌｉｎ、中央部Ｌｍｉｄ、反入光部Ｌｏｕｔのそれぞれの光源点灯量差ΔＬｉｎ１、ΔＬｍｉｄ１、ΔＬｏｕｔ１を最小にすることが理想である。同様に、第２表示面３２側の光源５７Ａの光源点灯量を示す曲線Ｕ５７Ａは、入光部Ｌｉｎ、中央部Ｌｍｉｄ、反入光部Ｌｏｕｔのそれぞれの光源点灯量差ΔＬｉｎ２、ΔＬｍｉｄ２、ΔＬｏｕｔ２を最小にすることが理想である。しかしながら、光源５６Ａが理想的な曲線Ｕ５６Ａとなるように点灯したとしても、対向する光源５７Ａからの光が第１表示面３１に影響してしまう可能性がある。同様に、光源５７Ａが理想的な曲線Ｕ５７Ａとなるように点灯したとしても、対向する光源５６Ａからの光が第２表示面３２に影響してしまう可能性がある。例えば図２５に示すように、意図しない光源点灯量差ΔＬＸｃを低減するために、光源５６Ａの光源駆動値（１／αｋ）は、光源５６Ｂ、５６Ｃ、５６Ｄ、５６Ｅ及び５６Ｆのみならず、光源５７Ａ、５７Ｂ、５７Ｃ、５７Ｄ、５７Ｅ及び５７Ｆの影響も考慮して設定する必要がある。
【０１０２】
そこで、本実施形態では、以下のように処理する。まず、画像解析部２３は、各輝度判定ブロックに含まれる第２信号値に基づいて、各輝度判定ブロックの（１／αｂ）値を、前述したように算出する。光源駆動値演算部２４は、１つのグループを注目グループに設定した後、図１６に示すように、注目グループの各ブロック（入光方向ＬＸに並ぶ各ブロック）の上記算出された（１／αｂ）値を入力（取得）し（ステップＳ３１）、入光部Ｌｉｎの（１／αｂ）値を最大値に設定する（ステップＳ３２）。次に、注目グループ内の中央部Ｌｍｉｄ、すなわち、ステップＳ３２で設定した入光部Ｌｉｎと光源配列方向ＬＹにおいて同じ位置にある中央部Ｌｍｉｄの（１／αｂ）値が、最大値より大きい場合（ステップＳ３３、Ｙｅｓ）、中央部Ｌｍｉｄの（１／αｂ）値を最大値に設定する（ステップＳ３４）。注目グループ内の中央部Ｌｍｉｄの（１／αｂ）値が、最大値以下の場合（ステップＳ３３、Ｎｏ）、そのまま入光部Ｌｉｎの（１／αｂ）値を最大値として、ステップＳ３５へ処理を進める。
【０１０３】
次に、注目グループ内の反入光部Ｌｏｕｔ、すなわち、ステップＳ３２で設定した入光部Ｌｉｎと光源配列方向ＬＹにおいて同じ位置にある反入光部Ｌｏｕｔの（１／αｂ）値が、最大値より大きい場合（ステップＳ３５、Ｙｅｓ）、反入光部Ｌｏｕｔの（１／αｂ）値を最大値に設定する（ステップＳ３６）。注目グループ内の反入光部Ｌｏｕｔの（１／αｂ）値が、最大値以下の場合（ステップＳ３５、Ｎｏ）、最大値を変更せずに、ステップＳ３７へ処理を進める。
【０１０４】
光源駆動値演算部２４は、最大値の（１／αｂ）値を光源駆動値として仮設定し記憶する（ステップＳ３７）。このように、第１サイドライト光源５２Ａ及び第２サイドライト光源５２Ｂを用いる本例においても、各輝度判定ブロックの第２信号値に基づいて算出した各輝度判定ブロックの（１／αｂ）値を比較し、グループ毎に最大値を特定する。しかしながら、本開示はこれに限定されない。例えば、各輝度判定ブロックの第２信号値に基づいて算出した各輝度判定ブロックの（１／αｂ）値に、ルックアップテーブルに格納された、各輝度判定ブロックに該当する位置の光強度値を乗算し、当該乗算して得られた値を比較して、グループ毎に最大値を特定するようにしてもよい。
【０１０５】
第１サイドライト光源５２Ａのそれぞれの光源の光源駆動値を（１／αｉ１−ｍａｘ）とし、第２サイドライト光源５２Ｂのそれぞれの光源の光源駆動値を（１／αｉ２−ｍａｘ）として、光源駆動値演算部２４が注目グループの入光部Ｌｉｎ、中央部Ｌｍｉｄ、反入光部Ｌｏｕｔの輝度指標を上記式（１１）〜（１３）で算出する（ステップＳ３８）。ここでは、第１サイドライト光源５２Ａの光源５６Ａ〜５６Ｆ、及び第２サイドライト光源５２Ｂの光源５７Ａ〜５７Ｆの各々に対応するルックアップテーブルＬＵＴＡ、ＬＵＴＢ、ＬＵＴＣ、ＬＵＴＤ、ＬＵＴＥ、ＬＵＴＦ、ＬＵＴＧ、ＬＵＴＨ、ＬＵＴＩ、ＬＵＴＪ、ＬＵＴＫ、ＬＵＴＬが予め記憶されているものとする。したがって、本例では、ルックアップテーブルを示すＬＵＴｍのｍは、Ａ〜Ｆまでの値ではなく、Ａ〜Ｌまでの値をとる。これにより、第１サイドライト光源５２Ａ及び第２サイドライト光源５２Ｂの各光源からの光の寄与度が反映された輝度指標を算出することができる。なお、下記式のＬＵＴｍ(ＰＬｉｎ、ＱＬｉｎ)はルックアップテーブルｍのＰＬｉｎ行目、ＱＬｉｎ列目のデータを表すが、ＰＬｉｎ行目、ＱＬｉｎ列目のデータは画素４８毎のデータや輝度判定ブロック毎のデータ、あるいは画像表示パネル３０を仮想的に所定の領域に分割した分割領域毎のデータでもよい。ＬＵＴｍ(ＰＬｍｉｄ、ＱＬｍｉｄ)、及びＬＵＴｍ(ＰＬｏｕｔ、ＱＬｏｕｔ)も同様である。なお、本例では（ＰＬｉｎ、ＱＬｉｎ）は、各ルックアップテーブルに共通の絶対座標系で表した座標値を示す。
【０１０６】
なお、本開示は、上述したように、光源毎にルックアップテーブルを設ける例に限定されない。例えば、第１サイドライト光源５２Ａ、第２サイドライト光源５２Ｂのいずれか一方の光源に対応するルックアップテーブルのみ設けるようにしてもよい。第２入射面Ｅ２側の光源の１つのみが点灯して、この光源から入射する入射光が導光板５４から画像表示パネル３０の平面に照射される場合のルックアップテーブルの光強度分布の情報は、点灯した光源の入光方向ＬＸの中心線ＬＸｃに対して線対称の第１入射面Ｅ１側の光源のルックアップテーブルの光強度分布の情報と同じとなる。上述したように、本実施形態のルックアップテーブルＬＵＴＡ、ＬＵＴＢ、ＬＵＴＣ、ＬＵＴＤ、ＬＵＴＥ及びＬＵＴＦは、光源５６Ａ、５６Ｂ、５６Ｃ、５６Ｄ、５６Ｅ及び５６Ｆの１つずつに対応する。光源データ記憶部２５がルックアップテーブルＬＵＴＡ、ＬＵＴＢ、ＬＵＴＣ、ＬＵＴＤ、ＬＵＴＥ及びＬＵＴＦを記憶していれば、光源駆動値演算部２４は、第１サイドライト光源５２Ａだけでなく、第２サイドライト光源５２Ｂに対しても、光源データ記憶部２５のルックアップテーブルＬＵＴＡ、ＬＵＴＢ、ＬＵＴＣ、ＬＵＴＤ、ＬＵＴＥ及びＬＵＴＦを用いて各光源の光源点灯量を演算できる。より具体的には、ルックアップテーブルＬＵＴＡ、ＬＵＴＢ、ＬＵＴＣ、ＬＵＴＤ、ＬＵＴＥ及びＬＵＴＦを中心線ＬＸｃに対して線対称に反転した上で重ね合わせて、光源５７Ａ、５７Ｂ、５７Ｃ、５７Ｄ、５７Ｅ及び５７Ｆの光源点灯量を演算することができる。この場合には、上記式（１１）、（１２）、及び（１３）の代わりに、下記式（１５−１）、（１６−１）、及び（１７−１）を用いて輝度指標を算出することができる。
【０１０７】
【数６】
2018031920.tif 000008
【０１０８】
【数７】
2018031920.tif 000009
【０１０９】
【数８】
2018031920.tif 000010
【０１１０】
上記式（１５−１）、（１６−１）、及び（１７−１）では、第１サイドライト光源側の光源を点灯したときの光強度分布を示すルックアップテーブルを、第２サイドライト光源５２Ｂ側の光源を点灯したときの光強度分布を示すルックアップテーブルとしても用いるため、座標変換が行われる。以下、図２７を用い、この座標変換について説明する。なお、上記数式では、座標値を(ＰＬｉｎ、ＱＬｉｎ)、（ＰＬｍｉｄ、ＱＬｍｉｄ)、及び  (ＰＬｏｕｔ、ＱＬｏｕｔ)のように入光方向ＬＸにおける位置に応じて区別して表したが、座標変換の概念は入光方向によらず共通であるため、以下では、座標値を単に（Ｐ、Ｑ）と表して説明する。
【０１１１】
ルックアップテーブルｍのＰ行目、Ｑ行目のデータを示すＬＵＴｍ（Ｐ、Ｑ）のＰは、光源配列方向ＬＹにおける位置を示し、Ｑは、入光方向ＬＸにおける位置を示す。また、Ｐが、０からＭＡＸＰの値をとり、Ｑが、０からＭＡＸＱの値をとるものする。この場合、ルックアップテーブルｍの配列要素のうち第２サイドライト光源５２Ｂ側の一方の隅部の配列要素の座標値を（Ｐ、Ｑ）＝（０、０）と仮定すると、他方の隅部の配列要素の座標値は、（ＭＡＸＰ、０）と表すことができる。さらにまた、第１サイドライト光源５２Ａ側の一方の隅部の配列要素の座標値は、（０、ＭＡＸＱ）と表すことができ、他方の隅部の配列要素の座標値は、（ＭＡＸＰ、ＭＡＸＱ）と表すことができる。ここで、ルックアップテーブルＬＵＴＡ、ＬＵＴＢ、ＬＵＴＣ、ＬＵＴＤ、ＬＵＴＥ及びＬＵＴＦを中心線ＬＸｃに対して反転して用いる場合において、ルックアップテーブルＬＵＴＡ、ＬＵＴＢ、ＬＵＴＣ、ＬＵＴＤ、ＬＵＴＥ及びＬＵＴＦ上の絶対座標値が（Ｐ、Ｑ）で示される場合には、各ルックアップテーブルＬＵＴＡ、ＬＵＴＢ、ＬＵＴＣ、ＬＵＴＤ、ＬＵＴＥ及びＬＵＴＦから、座標値（Ｐ、ＭＡＸＱ−Ｑ）のデータを読み出して用いる（座標変換）。式（１５−１）、（１６−１）、及び（１７−１）において、当該読み出して用いるデータが、ＬＵＴｍ（Ｐ、ＭＡＸＱ−Ｑ）で表されている。このように、ルックアップテーブルＬＵＴＡ、ＬＵＴＢ、ＬＵＴＣ、ＬＵＴＤ、ＬＵＴＥ及びＬＵＴＦから、中心線ＬＸｃに対して処理対象のブロックと線対称の位置にあるデータを読み出すことで、ルックアップテーブルＬＵＴＡ、ＬＵＴＢ、ＬＵＴＣ、ＬＵＴＤ、ＬＵＴＥ及びＬＵＴＦを中心線ＬＸｃに対して反転して用いることができる。
【０１１２】
光源駆動値演算部２４は、ステップＳ３８で得られた入光部Ｌｉｎ、中央部Ｌｍｉｄ、反入光部Ｌｏｕｔの輝度指標のうち、最も大きい輝度指標を特定する（ステップＳ３９）。
【０１１３】
次に、光源駆動値演算部２４は、ステップＳ３９で特定した輝度指標に対応する（１／αｂ）を目標（１／αｂ）値として記憶し、かつ注目グループ内の入光部Ｌｉｎ、中央部Ｌｍｉｄ、反入光部Ｌｏｕｔのうちの１つのブロックであって上記特定した輝度指標に対応するブロックである特定したブロックの位置を記憶する（ステップＳ４０）。これにより、特定したブロックが、輝度補正の対象とする輝度判定ブロックとなり、識別された輝度判定ブロックの（１／αｂ）が、当該輝度判定ブロックが属するグループの目標（１／αｂ）値となる。
【０１１４】
これにより、図２４に示す例では、丸（○）のフラグで識別された輝度判定ブロックが最大値に設定されている情報を示すことになる。
【０１１５】
目標（１／αｂ）値の決定後、図１５に示すように、画像解析部２３は、輝度判定ブロックのエリア判定を行う（ステップＳ２０）。そして、注目グループを設定し、光源駆動値演算部２４は、設定した注目グループにおいて輝度補正対象ブロックの（１／αｂ）値を算出する（ステップＳ２１）。ここで算出される（１／αｂ）値は、上記仮設定された（或いは後述する処理により補正された）光源駆動値の各々により各光源が点灯されたと仮定したときの輝度補正対象ブロックの輝度に対応する値であって、各輝度補正対象ブロック毎（光源毎）の光源駆動値とは異なる。この（１／αｂ）値は、第１サイドライト光源５２Ａ及び第２サイドライト光源５２Ｂの各光源に対応するＬＵＴの光強度値を用いて演算できる。ここで、第１サイドライト光源５２Ａの光源５６Ａ〜５６Ｆ、及び第２サイドライト光源５２Ｂの光源５７Ａ〜５７Ｆの各々に対応するルックアップテーブルＬＵＴＡ、ＬＵＴＢ、ＬＵＴＣ、ＬＵＴＤ、ＬＵＴＥ、ＬＵＴＦ、ＬＵＴＧ、ＬＵＴＨ、ＬＵＴＩ、ＬＵＴＪ、ＬＵＴＫ、ＬＵＴＬが予め記憶されている場合には、上記式（１４）を用いて、輝度補正対象ブロックの（１／αｂ）値を算出する。ただし、この場合には、ルックアップテーブルを示すＬＵＴｍのｍは、Ａ〜Ｆまでの値ではなく、Ａ〜Ｌまでの値をとる。これにより、全ての光源からの光の影響が考慮された（１／αｂ）値（上記式（１４）では（１／αＧ）値）を算出することができる。また、ここでも、上述した式（１４）と同様に、（１／αｋ）として、各グループの輝度補正対象ブロックの最新の（１／αｂ）値を用いる。すなわち、後述する処理を経て注目グループの輝度補正対象ブロックの輝度補正（（１／αｂ）値の調整）がなされた後は、当該注目グループより後に輝度補正されるグループの輝度補正対象ブロックについてのステップＳ２１の算出処理において、当該注目グループの輝度補正対象ブロックの（１／αｋ）値として、輝度補正後の（１／αｂ）値が用いられることになる。
【０１１６】
なお、上述したように、第１サイドライト光源５２Ａ側の光源を点灯したときの光強度分布を示すルックアップテーブルを設け、第２サイドライト光源５２Ｂ側の光源を点灯したときの光強度分布を示すルックアップテーブルは設けないようにしてもよい。この場合には、第１サイドライト光源５２Ａ側の光源を点灯したときの光強度分布を示すルックアップテーブルを、第２サイドライト光源５２Ｂ側の光源を点灯したときの光強度分布を示すルックアップテーブルとしても用いるため、ステップＳ２１では、上記式（１４）の代わりに、下記式（１８−１）を用いて、輝度補正対象ブロックの（１／αｂ）値を算出する。
【０１１７】
【数９】
2018031920.tif 000011
【０１１８】
上記式（１８−１）においても、式（１５−１）、（１６−１）、及び（１７−１）と同様の座標変換が行われる。すなわち、第１サイドライト光源５２Ａ側の光源を点灯したときの光強度分布を示すルックアップテーブルを、第２サイドライト光源５２Ｂ側の光源を点灯したときの光強度分布を示すルックアップテーブルとしても用いる場合において、処理対象のブロックのルックアップテーブル上の絶対座標値が（Ｐ、Ｑ）で示される場合には、処理対象のブロックの光源配列方向ＬＹにおける位置に対応するルックアップテーブルから、座標値（Ｐ、ＭＡＸＱ−Ｑ）のデータを読み出して用いる（座標変換）。式（１８−１）において、当該読み出して用いるデータは、ＬＵＴｍ（Ｐ、ＭＡＸＱ−Ｑ）で表されている。このように、ルックアップテーブルＬＵＴＡ、ＬＵＴＢ、ＬＵＴＣ、ＬＵＴＤ、ＬＵＴＥ及びＬＵＴＦから、中心線ＬＸｃに対して処理対象のブロックと線対称の位置にあるデータを読み出すことで、ルックアップテーブルＬＵＴＡ、ＬＵＴＢ、ＬＵＴＣ、ＬＵＴＤ、ＬＵＴＥ及びＬＵＴＦを中心線ＬＸｃに対して反転して用いることができる。
【０１１９】
次に、図１５に示すように、光源駆動値演算部２４は、注目グループの目標（１／αｂ）値を取得して（ステップＳ２２）、以下に説明する輝度補正処理（光源駆動値の補正処理）を行う。
【０１２０】
注目グループに含まれる輝度補正対象ブロックの上記ステップＳ２１で算出した（１／αｂ）値が、注目グループの上述した目標（１／αｂ）より小さい場合（ステップＳ２３、Ｙｅｓ）、算出した（１／αｂ）値と目標（１／αｂ）との差分を算出する（ステップＳ２４）。次に、光源駆動値演算部２４は、差分の倍率を計算する（ステップＳ２５）。光源駆動値演算部２４は、差分がその位置のルックアップテーブルの何倍に当たるか算出する。具体的には、輝度補正対象ブロックの光源配列方向ＬＹにおける位置に対応する光源のルックアップテーブルから、輝度補正対象ブロックの位置に対応するデータを読み出す。読み出したデータを便宜上Ｐｅｒｃｅｎｔａｇｅと呼称する。そして、上記算出した（１／αｂ）値と目標（１／αｂ）との差分Ｓｕｂを、Ｐｅｒｃｅｎｔａｇｅで除算した値がここで算出される倍率である。本実施形態において、ルックアップテーブルには、各光源を最大出力（１００％の出力）で点灯させた場合の光強度分布が記憶されている。したがって、上記差分をルックアップテーブルの光強度値で除算すれば、１００％の光強度値に対する差分の割合（倍率）が求められる。なお、第１サイドライト光源５２Ａ側の光源を点灯したときの光強度分布を示すルックアップテーブルを、第２サイドライト光源５２Ｂ側の光源を点灯したときの光強度分布を示すルックアップテーブルとしても用いる場合には、Ｐｅｒｃｅｎｔａｇｅを読み出す際に、上記説明したように座標変換を行う。すなわち、輝度補正対象ブロックの絶対座標値が（Ｐ、Ｑ）である場合、輝度補正対象ブロックの光源配列方向ＬＹの位置に対応するルックアップテーブルから、座標値（Ｐ、ＭＡＸＱ−Ｑ）のデータをＰｅｒｃｅｎｔａｇｅとして読み出して用いる。
【０１２１】
次に、上記算出した差分の倍率を、上記第２信号に基づいて算出され、上記ステップＳ３７において仮設定した（１／αｂ）値に加算する（ステップＳ２６）。すなわち、ステップＳ２１で算出した（１／αｂ）値がブロックの目標（１／αｂ）値よりも小さい場合は、差分の倍率を上記仮設定した（１／αｂ）値に加算する（ステップＳ２６）ことで、輝度が不足しているブロックの輝度を補うことが可能となる。
【０１２２】
図２６は、１つの輝度補正の対象とする輝度判定ブロックに対する各光源の影響を説明するための説明図である。図２６に示す輝度判定ブロックが、光源５６Ａに最も近い、第１表示面３１の入光部Ｌｉｎである場合、この輝度判定ブロックの代表輝度が複数の光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆからのそれぞれ入射する入射光による輝度判定ブロックの輝度Ｉ５６Ａ、Ｉ５６Ｂ、Ｉ５６Ｃ、Ｉ５６Ｄ、Ｉ５６Ｅ、Ｉ５６Ｆ、Ｉ５７Ａ、Ｉ５７Ｂ、Ｉ５７Ｃ、Ｉ５７Ｄ、Ｉ５７Ｅ及びＩ５７Ｆを足し合わせたものになる。例えば、図２６に示すように、光源駆動値を求めたい光源５６Ａと光源５６Ａ以外の光源５６Ｂ、５６Ｃ、５６Ｄ、５６Ｅ、５６Ｆ、５７Ａ、５７Ｂ、５７Ｃ、５７Ｄ、５７Ｅ及び５７Ｆによる輝度の総和が目標輝度となるように、光源駆動値を再演算し、再演算した光源駆動値を記憶する。具体的には、上述したように、ステップＳ２１で算出した（１／αｂ）値、すなわち光源５６Ａ〜５６Ｆ及び光源５７Ａ〜５７Ｆを点灯したと仮定したときの輝度の総和に対応する（１／αｂ）値を、目標（１／αｂ）値から差し引いて、差分Ｓｕｂを算出する。そして当該差分Ｓｕｂを、光源５６Ａに対応するルックアップテーブルの値Ｐｅｒｃｅｎｔａｇｅで除算して、倍率を算出する。この倍率を、光源５６Ａの光源駆動値として仮設定した（１／αｂ）値に加算することにより、光源５６Ａの光源駆動値を再演算し、記憶する。この処理を、各光源について行う。これにより、例えば、図２３に示す曲線Ｕｄが曲線Ｕｅに補正されると、輝度の頂点と谷間（Ｄ０〜Ｄ４）のデータ位置及び輝度のうち、輝度の頂点Ｄ１及びＤ３の位置が変更され、輝度が増加する。次に、処理をステップＳ２７に進める。
【０１２３】
一方、ステップＳ２１で算出した（１／αｂ）値が、注目グループの上述した目標（１／αｂ）値以上の場合（ステップＳ２３、Ｎｏ）、ステップＳ２４〜Ｓ２６をスキップして、処理をステップＳ２７へ進める。次に、輝度補正対象ブロックの（１／αｂ）値が上限値を超えている場合（ステップＳ２７、Ｙｅｓ）、（１／αｂ）値を上限値へ変更するクリッピングを行う（ステップＳ２８）。なお、前述したように、ステップＳ２７で上限値と比較される輝度補正対象ブロックの（１／αｂ）値は、上記ステップＳ２３で肯定判定された場合には、上記ステップＳ２６で補正された後の光源駆動値（１／αｂ）であり、上記ステップＳ２３で否定判定された場合には、仮設定のままの光源駆動値（１／αｂ）である。また、上限値は、光源制御における光源駆動値の上限値として予め設定しておく。そして、ステップＳ２８の後は、処理をステップＳ３０に進める。一方、輝度補正対象ブロックの（１／αｂ）値が上限値を超えていない場合（ステップＳ２７、Ｎｏ）、ステップＳ２８をスキップして、ステップＳ３０に進む。全グループのスキャンが終了している場合には（ステップＳ３０、Ｙｅｓ）、図１５の処理を終了する。また、全グループのスキャンが終了していない場合には（ステップＳ３０、Ｎｏ）、次のグループを注目グループに設定して、ステップＳ２１に戻る。以上の処理により、ステップＳ３７で仮設定された各ブロック毎の光源駆動値（１／αｂ）が補正される。ただし、ステップＳ２３及びＳ２７で否定判定された場合には、仮設定された光源駆動値が補正されない場合もある。この場合には、仮設定された光源駆動値がそのまま光源の光源点灯量の制御に用いられる。こうして得られた各ブロック毎の（１／αｂ）値から光源点灯量が演算される。このように演算された各輝度補正対象ブロックの（１／αｂ）が、各光源の光源駆動値（１／αｋ）として用いられる。すなわち、複数の光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆの各光源駆動値（１／αｋ）が演算できる。この光源駆動値（１／αｋ）及びルックアップテーブルを用いて、上述した式（１０）に示すように代表輝度が演算される。このように、各輝度補正対象ブロックの（１／αｂ）値が各目標（１／αｂ）値となるように、仮設定した各（１／αｂ）値が補正され、補正された各（１／αｂ）値により各光源の光源点灯量が制御される。すなわち、これにより、各輝度補正対象ブロックの輝度が目標輝度を満たすように各光源の光源点灯量が制御される。
【０１２４】
なお、第１サイドライト光源５２Ａ側の光源を点灯したときの光強度分布を示すルックアップテーブルを、第２サイドライト光源５２Ｂ側の光源を点灯したときの光強度分布を示すルックアップテーブルとしても用いる場合には、式（１０）においても座標変換の演算を組み入れる必要がある。上記説明したように、代表輝度は、各光源電流と各光源のルックアップテーブルのデータを乗算した乗算値の各々の合計値を求めることにより、演算される。したがって、ルックアップアップテーブルを、第１サイドライト光源５２Ａ及び第２サイドライト光源５２Ｂで共有する場合、第１サイドライト光源５２Ａと第２サイドライト光源５２Ｂの双方について、各光源電流と各光源のルックアップテーブルのデータを乗算した乗算値を求め、これら乗算値の合計値を求める式を用いて代表輝度を演算すればよい。そして、第２サイドライト光源５２Ｂの光源電流に乗算されるルックアップテーブルのデータは、座標値（Ｐ，Ｑ）の代わりに、座標値（Ｐ、ＭＡＸＱ−Ｑ）のデータが用いられる。
【０１２５】
なお、本実施形態では、第１サイドライト光源５２Ａ側の光源を点灯したときの光強度分布を示すルックアップテーブルを設け、第２サイドライト光源５２Ｂ側の光源を点灯したときの光強度分布を示すルックアップテーブルは設けない例について説明したが、本開示はこの例に限定されない。例えば、第１サイドライト光源５２Ａ側の光源を点灯したときの光強度分布を示すルックアップテーブルを設けず、第２サイドライト光源５２Ｂ側の光源を点灯したときの光強度分布を示すルックアップテーブルを設ける構成としてもよい。
【０１２６】
光源の光源駆動値（１／αｋ）が演算される順番（輝度補正処理、すなわち光源駆動値の補正処理がなされる順番）は、光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆの順であってもよい。または、光源の光源駆動値（１／αｋ）が演算される順番は、光源５６Ａ、５６Ｂ、５６Ｃ、５６Ｄ、５６Ｅ、５６Ｆ、５７Ｆ、５７Ｅ、５７Ｄ、５７Ｃ、５７Ｂ及び５７Ａの順であってもよい。光源の光源駆動値（１／αｋ）が演算される順番は、限定されるものではない。光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆのうち、１つの光源の光源駆動値（１／αｋ）が図１５に示すステップＳ２６の処理で輝度補正されると、他の光源の光源駆動値（１／αｋ）が再演算される。すなわち、光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆの光源駆動値（１／αｋ）を順番に演算していき、先に演算された光源の光源駆動値（１／αｋ）を順次、後に演算する光源の光源駆動値（１／αｋ）に反映させていくため、各光源において精度の高い代表輝度を求めることができる。
【０１２７】
例えば、光源駆動値の補正順序を、バックライトの特性或いは設定に応じて定めてもよい。例えば、各光源に対し、光源配列方向ＬＹに並ぶ光源（同じサイドライト光源に含まれる光源）からの光の影響が、入光方向ＬＸに対向するサイドライト光源に含まれる光源からの光の影響よりも強い場合には、光源配列方向ＬＹに沿った光源の配列順に光源駆動値を演算してもよい。この場合、例えば、光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆの順、或いは光源５６Ａ、５６Ｂ、５６Ｃ、５６Ｄ、５６Ｅ、５６Ｆ、５７Ｆ、５７Ｅ、５７Ｄ、５７Ｃ、５７Ｂ及び５７Ａの順で光源駆動値を演算してもよい。
【０１２８】
また、例えば、各光源に対し、光源配列方向ＬＹに並ぶ光源（同じサイドライト光源に含まれる光源）からの光の影響が、入光方向ＬＸに対向するサイドライト光源に含まれる光源からの光の影響よりも弱い場合には、第１サイドライト光源５２Ａの光源の光源駆動値の補正、及び第２サイドライト光源５２Ｂの光源の光源駆動値の補正を交互に行ってもよい。この場合、例えば、光源５６Ａ、５７Ａ、５６Ｂ、５７Ｂ、５６Ｃ、５７Ｃ、５６Ｄ、５７Ｄ、５６Ｅ、５７Ｅ、５６Ｆ、及び５７Ｆの順で光源駆動値を補正してもよい。
【０１２９】
さらにまた、光源駆動値の補正を複数回行うようにしてもよい。例えば、１回目の光源駆動値の補正により補正された光源駆動値を２回目の光源駆動値の補正に反映させれば、より高い精度で光源駆動値を演算できる。また、１回目の光源駆動値の補正では、前述のように輝度を増やす方向に補正し、２回目の光源駆動値の補正では、輝度を減らす方向に補正することもできる。
【０１３０】
光源駆動値決定部２６は、上述のようにして求めた各光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆの光源駆動値（１／αｋ）を面状光源装置制御部６０に送出すると共に、画素４８毎の輝度の情報として、各画素４８毎の伸張係数αｋを画像処理部２２に送出する（ステップＳ１５）。
【０１３１】
次に、トーンカーブ変換部２７におけるトーンカーブ変換処理（ステップＳ１２）について説明する。
【０１３２】
本実施形態では、上述した図８に示すように、画像処理部２２の前段にトーンカーブ変換部２７を設けている。本実施形態では、第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得を、第１信号ＲＧＢの画素４８毎の輝度に応じた値とすることで、上述した後段の処理で用いる第２信号ｒｇｂを求める。
【０１３３】
このとき、本実施形態では、第２信号ｒｇｂを求める際に、第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得を、第１信号ＲＧＢの画素４８毎の輝度に応じて異ならせる。
【０１３４】
具体的には、本実施形態では、第１信号ＲＧＢの輝度に対して第１の輝度閾値を設け、第１信号ＲＧＢの輝度が第１の輝度閾値以下となる第１領域と、第１信号ＲＧＢの輝度が第１の輝度閾値よりも大きい第２領域とに分ける。そして、第１信号ＲＧＢの画素４８毎の輝度が第１の輝度閾値よりも大きい第２領域では、第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得を、第１信号ＲＧＢの画素４８毎の輝度に応じて大きくする。
【０１３５】
また、本実施形態では、第１信号ＲＧＢの１フレームにおける全画素４８の数Ｎｐｉｘに対して第１信号ＲＧＢの画素４８毎の輝度が第２の輝度閾値Ｙｔｈ２以上となる画素４８の数ｎｐｉｘ（≧Ｙｔｈ２）の比率Ｐ（＝ｎｐｉｘ（≧Ｙｔｈ２）／Ｎｐｉｘ）に応じて、第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得を変化させる。以下、第１信号ＲＧＢの１フレームにおける全画素４８の数Ｎｐｉｘに対して第１信号ＲＧＢの画素４８毎の輝度が第２の輝度閾値Ｙｔｈ２以上となる画素４８の数ｎｐｉｘ（≧Ｙｔｈ２）の比率Ｐを、「高輝度画素比率」ともいう。
【０１３６】
具体的には、上記した高輝度画素比率Ｐに対し、第１の比率閾値Ｐ１と、第１の比率閾値Ｐ１よりも大きい第２の比率閾値Ｐ２とを設ける。そして、第１領域において第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得の最大値を第１の最大値とする。第２領域の第１信号ＲＧＢの最大輝度における第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得の最大値を第２の最大値とする。第１領域において第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得の最小値を第１の最小値とする。第２領域の第１信号ＲＧＢの最大輝度における第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じる利得の最小値を第２の最小値とする。
【０１３７】
このとき、高輝度画素比率Ｐが第１の比率閾値Ｐ１よりも小さい場合には（Ｐ＜Ｐ１）、第１領域における利得が第１の最小値となり、第２領域の第１信号ＲＧＢの最大輝度における利得が第２の最大値となるようにする。また、高輝度画素比率Ｐが第２の比率閾値Ｐ２よりも大きい場合には（Ｐ＞Ｐ２）、第１領域における利得が第１の最大値となり、第２領域の第１信号ＲＧＢの最大輝度における利得が第２の最小値となるようにする。このとき、第１領域における利得が第２領域における利得と等しくなるようにする。また、高輝度画素比率Ｐが第１の比率閾値Ｐ１以上第２の比率閾値Ｐ２以下となる場合には（Ｐ１≦Ｐ≦Ｐ２）、高輝度画素比率Ｐの上昇に応じて、第１領域における利得を徐々に大きくし、第２領域の第１信号ＲＧＢの最大輝度における利得を徐々に小さくする。
【０１３８】
以下、上述したトーンカーブ変換処理について、より具体的に説明する。
【０１３９】
図２８は、実施形態に係るトーンカーブ変換処理特性の一例を示す図である。図２８に示す例では、トーンカーブ変換部２７への入力信号である第１信号ＲＧＢの輝度をＹｉｎとして横軸に示し、トーンカーブ変換部２７におけるトーンカーブ変換処理後の出力信号である第２信号ｒｇｂの輝度をＹｏｕｔとして縦軸に示している。なお、図２８に示す例では、第１信号ＲＧＢの輝度Ｙｉｎの最大値（最大輝度Ｙｉｎｍａｘ）で正規化した例を示している。
【０１４０】
図２９は、実施形態に係るトーンカーブ変換処理における利得特性の一例を示す図である。なお、図２９に示す例では、第１信号ＲＧＢの輝度Ｙｉｎの最大値（最大輝度Ｙｉｎｍａｘ＝１）における利得Ａの最大値をＡｍａｘとした例を示している。
【０１４１】
図３０は、実施形態に係るトーンカーブ変換処理における利得係数特性の一例を示す図である。なお、図３０に示す例では、第１信号ＲＧＢの１フレームにおける全画素４８の数Ｎｐｉｘに対し、第１信号ＲＧＢの画素４８毎の輝度Ｙｉｎが第２の輝度閾値Ｙｔｈ２を超える画素の数ｎｐｉｘ（≧Ｙｔｈ２）の比率Ｐ（＝ｎｐｉｘ（≧Ｙｔｈ２）／Ｎｐｉｘ）を横軸に示し、利得Ａにおける利得係数ｋを縦軸に示している。なお、図３０に示す例では、第１領域における利得をＡ１とした場合の利得係数ｋ１、及び、第２領域における利得をＡ２とした場合の利得係数ｋ２を示している。
【０１４２】
図２８及び図２９に示すように、本実施形態では、トーンカーブ変換部２７への入力信号である第１信号ＲＧＢの輝度Ｙｉｎに対して第１の輝度閾値Ｙｔｈ１を設け、第１信号ＲＧＢの輝度Ｙｉｎが第１の輝度閾値Ｙｔｈ１以下となる第１領域と、第１信号ＲＧＢの輝度Ｙｉｎが第１の輝度閾値Ｙｔｈ１よりも大きい第２領域とに分けている。
【０１４３】
本実施形態において、第１領域における第１信号ＲＧＢの輝度Ｙｉｎに対するトーンカーブ変換処理後の輝度Ｙｏｕｔの利得Ａ１は、所定の基準利得Ａｅを用いて下記式（１９）で示される。
【０１４４】
Ａ１＝ｋ１・Ａｅ・・・（１９）
【０１４５】
また、本実施形態において、第２領域における第１信号ＲＧＢの輝度Ｙｉｎに対するトーンカーブ変換処理後の輝度Ｙｏｕｔの利得Ａ２は、下記式（２０）で示される。
【０１４６】
Ａ２＝ｋ２・（（Ａｍａｘ−Ａ１）／（１−Ｙｔｈ１）＾ｃ）
・（（Ｙｉｎ−Ｙｔｈ１）＾ｃ）＋Ａ１・・・（２０）
【０１４７】
図３０に示すように、高輝度画素比率Ｐが第１の比率閾値Ｐ１よりも小さい場合には（Ｐ＜Ｐ１）、第１領域における第１信号ＲＧＢの輝度Ｙｉｎに対するトーンカーブ変換処理後の輝度Ｙｏｕｔの利得ｋ１・Ａ１の係数ｋ１は１となり、第２領域における第１信号ＲＧＢの輝度Ｙｉｎに対するトーンカーブ変換処理後の輝度Ｙｏｕｔの利得ｋ２・Ａ２の係数ｋ２は１となる。このときの第１領域における第１信号ＲＧＢの輝度Ｙｉｎに対するトーンカーブ変換処理後の輝度Ｙｏｕｔの利得Ａ１は、下記式（２１）で示され、第２領域における第１信号ＲＧＢの輝度Ｙｉｎに対するトーンカーブ変換処理後の輝度Ｙｏｕｔの利得Ａ２は、下記式（２２）で示される。
【０１４８】
Ａ１＝Ａｅ・・・（２１）
【０１４９】
Ａ２＝（（（Ａｍａｘ−Ａ１）／（１−Ｙｔｈ１）＾ｃ）
・（Ｙｉｎ−Ｙｔｈ１）＾ｃ）＋Ａ１・・・（２２）
【０１５０】
また、図３０に示すように、高輝度画素比率Ｐが第２の比率閾値Ｐ２よりも大きい場合には（Ｐ＞Ｐ２）、第１領域における第１信号ＲＧＢの輝度Ｙｉｎに対するトーンカーブ変換処理後の輝度Ｙｏｕｔの利得Ａ１の係数ｋ１は１／Ａｅとなり、第２領域における第１信号ＲＧＢの輝度Ｙｉｎに対するトーンカーブ変換処理後の輝度Ｙｏｕｔの利得Ａ２の係数ｋ２は０となる。このときの第１領域における第１信号ＲＧＢの輝度Ｙｉｎに対するトーンカーブ変換処理後の輝度Ｙｏｕｔの利得Ａ１、及び、第２領域における第１信号ＲＧＢの輝度Ｙｉｎに対するトーンカーブ変換処理後の輝度Ｙｏｕｔの利得Ａ２は、下記式（２３）で示される。
【０１５１】
Ａ１＝Ａ２＝１・・・（２３）
【０１５２】
すなわち、高輝度画素比率Ｐが第２の比率閾値Ｐ２よりも大きい場合には（Ｐ＞Ｐ２）、図２９に示すように、第１領域と第２領域とを含む全ての領域において、利得が等しく１となり、図２８に示すように、トーンカーブ変換処理前の第１信号ＲＧＢの輝度Ｙｉｎとトーンカーブ変換処理後の第２信号ｒｇｂの輝度Ｙｏｕｔが等しくなる。
【０１５３】
なお、高輝度画素比率Ｐが第１の比率閾値Ｐ１以上第２の比率閾値Ｐ２以下となる場合（Ｐ１≦Ｐ≦Ｐ２）の各利得係数ｋ１，ｋ２は、それぞれ下記式（２４）、（２５）で示される。
【０１５４】
ｋ１＝（（（１／Ａｅ）−１）・Ｐ＋Ｐ２−（１／Ａｅ）・Ｐ１）／（Ｐ２−Ｐ１）
・・・（２４）
【０１５５】
ｋ２＝（Ｐ２−Ｐ）／（Ｐ２−Ｐ１）・・・（２５）
【０１５６】
上記（１９）式、（２０）式、（２１）式、（２２）式、（２３）式、（２４）式、（２５）式から分かるように、高輝度画素比率Ｐが第１の比率閾値Ｐ１よりも小さい場合には（Ｐ＜Ｐ１）、第１領域における利得Ａ１が基準利得Ａｅで最小となり（第１の最小値）、第２領域における第１信号ＲＧＢの最大輝度Ｙｉｎｍａｘ（＝１）における利得Ａ２が最大となる（第２の最大値）。
【０１５７】
また、高輝度画素比率Ｐが第１の比率閾値Ｐ１以上第２の比率閾値Ｐ２以下となる場合には（Ｐ１≦Ｐ≦Ｐ２）、高輝度画素比率Ｐの上昇に応じて、図２９に上向き矢印で示すように、第１領域における利得が徐々に大きくなり、これに伴い、図２８に上向き矢印で示すように、第１領域におけるトーンカーブ変換処理特性が徐々に大きくなる。また、高輝度画素比率Ｐの上昇に応じて、図２９に下向き矢印で示すように、第２領域における第１信号ＲＧＢの最大輝度Ｙｉｎｍａｘ（＝１）における利得が徐々に小さくなり、これに伴い、図２８に下向き矢印で示すように、第２領域における第１信号ＲＧＢの最大輝度Ｙｉｎｍａｘ（＝１）におけるトーンカーブ変換処理特性が徐々に小さくなる。
【０１５８】
また、高輝度画素比率Ｐが第１の比率閾値Ｐ２よりも大きい場合には（Ｐ＞Ｐ２）、第１領域における利得Ａ１が最大となり（第１の最大値）、第２領域における第１信号ＲＧＢの最大輝度Ｙｉｎｍａｘ（＝１）における利得Ａ２が最小となる（第２の最小値）。また、このとき、上述したように、第１領域における利得Ａ１と第２領域における利得Ａ２とが共に１となり等しくなる。
【０１５９】
また、上記式（２０）において指数ｃ＝１のとき、下記式（２６）が得られる。
【０１６０】
Ａ２＝ｋ２・（（Ａｍａｘ−Ａ１）／（１−Ｙｔｈ１））
・（（Ｙｉｎ−Ｙｔｈ１））＋Ａ１・・・（２６）
【０１６１】
すなわち、第２領域における第１信号ＲＧＢの輝度Ｙｉｎに対するトーンカーブ変換処理後の輝度Ｙｏｕｔの利得Ａ２は、指数ｃ＝１のときにｋ２・（（Ａｍａｘ−Ａ１）／（１−Ｙｔｈ１））の傾きを有する一次関数となる。より具体的には、高輝度画素比率Ｐが第１の比率閾値Ｐ１よりも小さく（Ｐ＜Ｐ１）、ｋ２＝１となる場合には、第２領域において図２８に一点鎖線で示すような直線の利得特性が得られる。また、これに伴い、第２領域において図２９に一点鎖線で示すような直線のトーンカーブ変換処理特性が得られる。
【０１６２】
図３１は、実施形態に係るトーンカーブ変換部の一構成例を示すブロック図である。図３２は、トーンカーブ変換処理の一例を示すフローチャートである。
【０１６３】
図３１に示すように、本実施形態に係るトーンカーブ変換部２７は、輝度解析部２７１と、輝度調整部２７２とを含む。輝度調整部２７２は、トーンカーブ設定値格納部２７２１と、高輝度画素比率演算部２７２２と、利得演算部２７２３と、第２信号生成部２７２４とを含む。
【０１６４】
輝度解析部２７１は、画像の入力信号である第１信号ＲＧＢの情報に基づいて、第１信号ＲＧＢの画素４８毎の輝度Ｙｉｎを解析する（ステップＳ４１）。第１信号ＲＧＢの画素４８毎の輝度Ｙｉｎは、例えば、下記式（２７）を用いて求める。
【０１６５】
Ｙｉｎ＝Ｋｒ・Ｒ（ｐ、ｑ）＋Ｋｂ・Ｇ（ｐ、ｑ）＋Ｋｇ・Ｂ（ｐ、ｑ）
・・・（２７）
【０１６６】
上記（２７）式において、各係数Ｋｒ，Ｋｇ，Ｋｂは、ＲＧＢ値をＸＹＺ色度系における輝度Ｙに変換する際の係数である。これら各係数値は、ＲＧＢ値をＸＹＺ色度系に変換する際の規格によって異なる。例えばｓＲＧＢ（Ｄ６５）規格のＸＹＺ色度系に変換する場合には、Ｋｒ＝０．２１２６，Ｋｇ＝０．７１５２，Ｋｂ＝０．０７２２となる。また、例えば、Ａｄｏｂｅ  ＲＧＢ規格のＸＹＺ色度系に変換する場合には、Ｋｒ＝０．３０７０，Ｋｇ＝０．６１７０，Ｋｂ＝０．０７６１となる。
【０１６７】
なお、第１信号ＲＧＢの画素４８毎の輝度Ｙｉｎを解析する際に、ＲＧＢ値をＹＣｂＣｒ表色系における輝度Ｙに変換することも可能である。この場合には、例えばＩＴＵ−Ｒ  ＢＴ．６０１規格のＹＣｂＣｒ表色系に変換する場合には、Ｋｒ＝０．２９９，Ｋｇ＝０．５８７０，Ｋｂ＝０．１１４０となる。また、例えば、ＩＴＵ−Ｒ  ＢＴ．７０９規格のＹＣｂＣｒ表色系に変換する場合には、Ｋｒ＝０．２１２６，Ｋｇ＝０．７１５２，Ｋｂ＝０．０７２２となる。また、例えば、ＩＴＵ−Ｒ  ＢＴ．２０２０規格のＹＣｂＣｒ表色系に変換する場合には、Ｋｒ＝０．２６２７，Ｋｇ＝０．６７８０，Ｋｂ＝０．０５９３となる。なお、ＲＧＢ値を輝度Ｙに変換する方式（規格）により本発明が限定されるものではない。
【０１６８】
トーンカーブ設定値格納部２７２１には、外部の制御装置１１から入力されたトーンカーブ設定値が格納されている。トーンカーブ設定値は、上述した図２８に示すトーンカーブ変換処理特性を得るための設定値であり、図２８に示すトーンカーブ変換処理特性を第１領域と第２領域とに分ける第１の輝度閾値Ｙｔｈ１、第１領域における基準利得Ａｅ、第２領域における第１信号ＲＧＢの最大輝度Ｙｉｎｍａｘ（＝１）における利得の最大値Ａｍａｘ、上記式（２０）等を用いて第２領域における第１信号ＲＧＢの輝度Ｙｉｎに対するトーンカーブ変換処理後の輝度Ｙｏｕｔの利得Ａ２を求める際に用いる指数ｃ、高輝度画素比率演算部２７２２において高輝度画素比率Ｐを求める際に用いる第２の輝度閾値Ｙｔｈ２、図３０に示す利得係数特性における高輝度画素比率Ｐの第１の比率閾値Ｐ１及び第２の比率閾値Ｐ２を含む。
【０１６９】
表示画像のダイナミックレンジを効果的に拡大するためには、上述した式（２７）を用いて第１信号ＲＧＢの画素４８毎の輝度Ｙｉｎを求めた際に、少なくとも第１信号ＲＧＢの画素４８毎の各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）の全てが０以上となる画素４８、すなわち、白成分を含む画素４８に対して、利得を増加させるのが好ましい。従って、第１の輝度閾値Ｙｔｈ１は、０．７以上１．０未満の範囲内であるのが好ましい。例えば、ｓＲＧＢ（Ｄ６５）規格のＸＹＺ色度系に変換する場合は、少なくともＫｇ＝０．７１５２とＫｂ＝０．０７２２とを加算した０．７８７４よりも大きい値とするのがより好ましい。また、例えば、Ａｄｏｂｅ  ＲＧＢ規格のＸＹＺ色度系に変換する場合は、少なくともＫｇ＝０．６１７０とＫｂ＝０．０７６１とを加算した０．６９３１よりも大きい値とするのがより好ましい。また、例えば、ＩＴＵ−Ｒ  ＢＴ．６０１規格のＹＣｂＣｒ表色系に変換する場合は、少なくともＫｇ＝０．５８７０とＫｂ＝０．１１４０とを加算した０．７０１０よりも大きい値とするのがより好ましい。また、例えば、ＩＴＵ−Ｒ  ＢＴ．７０９規格のＹＣｂＣｒ表色系に変換する場合は、少なくともＫｇ＝０．７１５２とＫｂ＝０．０７２２とを加算した０．７８７４よりも大きい値とするのがより好ましい。また、例えば、ＩＴＵ−Ｒ  ＢＴ．２０２０規格のＹＣｂＣｒ表色系に変換する場合は、少なくともＫｇ＝０．６７８０とＫｂ＝０．０５９３とを加算した０．７３７３よりも大きい値とするのがより好ましい。
【０１７０】
また、本実施形態では、上述したように、画素４８に第４副画素４９Ｗを加え、画像処理部２２において、赤、緑、青の３色の第２信号ｒｇｂを、赤、緑、青、白の４色の第３信号ＲＧＢＷに変換する構成である。このため、赤、緑、青の３色の副画素で表示する構成と同じ光源点灯量で照射された場合よりも、例えば１．５倍程度高輝度で表示することが可能である。従って、上述した実施形態に係る構成では、光源点灯量を増加することなく利得の最大値Ａｍａｘを１．５倍程度とすることができる。
【０１７１】
なお、赤、緑、青の３色の副画素で表示する構成である場合でも、光源点灯量を増加させることで実現可能である。
【０１７２】
また、本実施形態では、複数の光源５６Ａ、５６Ｂ、５６Ｃ、５６Ｄ、５６Ｅ及び５６Ｆに対して個々に独立してパネル輝度の制御を行う。このため、単一の光源でパネル輝度の制御を行う場合に再現可能なパネル輝度範囲ａよりも広範囲なパネル輝度範囲ｂで再現可能である（図２８参照）。このため、利得の最大値Ａｍａｘをより大きな値に設定することも可能である。
【０１７３】
また、本実施形態では、第１領域の画素４８における基準利得Ａｅを１以下の値とすることで、第２領域における高輝度の画素４８とのコントラスト比を向上させることができ、高輝度画素をより際立たせることができる。
【０１７４】
高輝度画素比率演算部２７２２は、第１信号ＲＧＢの１フレームにおける全画素４８の数Ｎｐｉｘに対し、上記式（２７）によって求められた第１信号ＲＧＢの画素４８毎の輝度が第２の輝度閾値Ｙｔｈ２を超える画素の数ｎｐｉｘ（≧Ｙｔｈ２）の比率（高輝度画素比率）Ｐを求める（ステップＳ４２）。高輝度画素比率Ｐは、下記式（２８）を用いて求めることができる。
【０１７５】
Ｐ＝ｎｐｉｘ（≧Ｙｔｈ２）／Ｎｐｉｘ・・・（２８）
【０１７６】
利得演算部２７２３は、上記式（２４）、（２５）に対し、基準利得Ａｅ、第１の比率閾値Ｐ１、第２の比率閾値Ｐ２、及び高輝度画素比率Ｐを適用して、第１領域における利得係数ｋ１、及び、第２領域における利得係数ｋ２を求めると共に、上記式（１９）、（２０）に対し、利得係数ｋ１、利得係数ｋ２、基準利得Ａｅ、利得の最大値Ａｍａｘ、指数ｃを適用して、図２９に示すトーンカーブ変換処理における利得特性を求める（ステップＳ４３）。
【０１７７】
第２信号生成部２７２４は、画像の入力信号である第１信号ＲＧＢの各画素４８毎に、輝度解析部２７１によって求められた輝度Ｙｉｎに対応する利得Ａを、各第１副画素４９Ｒの信号値Ｒ（ｐ、ｑ）、各第２副画素４９Ｇの信号値Ｇ（ｐ、ｑ）、及び各第３副画素４９Ｂの信号値Ｂ（ｐ、ｑ）に乗じて、第２信号ｒｇｂの各画素４８毎の各第１副画素４９Ｒの信号値ｘ１−（ｐ、ｑ）、各第２副画素４９Ｇの信号値ｘ２−（ｐ、ｑ）、及び各第３副画素４９Ｂの信号値ｘ３−（ｐ、ｑ）を求め、第２信号ｒｇｂを生成する（ステップＳ４４）。具体的には、下記式（２９）、（３０）、（３１）を用いて、第２信号ｒｇｂの各画素４８毎の各第１副画素４９Ｒの信号値ｘ１−（ｐ、ｑ）、各第２副画素４９Ｇの信号値ｘ２−（ｐ、ｑ）、及び各第３副画素４９Ｂの信号値ｘ３−（ｐ、ｑ）を算出する。
【０１７８】
ｘ１−（ｐ、ｑ）＝Ａ・Ｒ（ｐ、ｑ）・・・（２９）
ｘ２−（ｐ、ｑ）＝Ａ・Ｇ（ｐ、ｑ）・・・（３０）
ｘ３−（ｐ、ｑ）＝Ａ・Ｂ（ｐ、ｑ）・・・（３１）
【０１７９】
なお、本実施形態では、外部の制御装置１１から入力されるトーンカーブ設定値を変更することで、図２８に示すトーンカーブ変換処理特性を変更することができる。
【０１８０】
第２の輝度閾値Ｙｔｈ２は、例えば第１信号ＲＧＢの輝度Ｙｉｎの最大値（最大輝度Ｙｉｎｍａｘ＝１）に対して８０％（Ｙｔｈ２＝０．８）程度とすることを想定している。また、第１の比率閾値Ｐ１は、ここでは、例えば３０％程度とすることを想定している。また、第２の比率閾値Ｐ２は、ここでは、例えば５０％から６０％程度とすることを想定している。全体的に明るい画像では、上述したトーンカーブ変換処理によるダイナミックレンジの拡大効果が薄くなる。また、表示装置１０の用途や画像ソースの種類によって、得られる効果の度合いが異なる。従って、第２の輝度閾値Ｙｔｈ２、第１の比率閾値Ｐ１、第２の比率閾値Ｐ２を表示装置１０の用途や画像ソースの種類に適した値とすることで、最適な効果を得ることができる。
【０１８１】
また、実施形態に係るトーンカーブ変換部の構成、トーンカーブ変換処理、トーンカーブ変換処理における利得特性、及びトーンカーブ変換処理における利得係数特性は、以下の図３３から図４１に示すように変更することも可能である。
【０１８２】
図３３は、第１領域における利得係数ｋ１を１に固定（ｋ１＝１）した場合のトーンカーブ変換処理特性の一例を示す図である。図３４は、第１領域における利得係数ｋ１を１に固定（ｋ１＝１）した場合のトーンカーブ変換処理における利得特性の一例を示す図である。図３５は、第１領域における利得係数ｋ１を１に固定（ｋ１＝１）した場合のトーンカーブ変換処理における利得係数特性の一例を示す図である。
【０１８３】
図３３、図３４、図３５に示すように、第１の比率閾値Ｐ１及び第２の比率閾値Ｐ２に依らず、第１領域における利得係数ｋ１を一定値（ここでは、１）としても良い。この場合には、トーンカーブ設定値として第１領域における利得係数ｋ１を設け、外部の制御装置１１から入力された第１領域における利得係数ｋ１をトーンカーブ設定値格納部２７２１に格納する構成とし、利得演算部２７２３において、上記式（１９）、（２０）に対し、利得係数ｋ１を適用して、図３４に示すトーンカーブ変換処理における利得特性を求めるようにすれば良い（ステップＳ４３）。
【０１８４】
図３６は、第１領域における基準利得Ａｅ及び利得係数ｋ１を１に固定（Ａｅ＝１，ｋ１＝１）した場合のトーンカーブ変換処理特性の一例を示す図である。図３７は、第１領域における基準利得Ａｅ及び利得係数ｋ１を１に固定（Ａｅ＝１，ｋ１＝１）した場合のトーンカーブ変換処理における利得特性の一例を示す図である。
【０１８５】
図３６、図３７に示すように、第１の比率閾値Ｐ１及び第２の比率閾値Ｐ２に依らず、第１領域における基準利得Ａｅ及び利得係数ｋ１を一定値（ここでは、１）としても良い。
【０１８６】
図３８は、高輝度画素比率演算部を省略した実施形態に係るトーンカーブ変換部の一構成例を示すブロック図である。図３９は、高輝度画素比率演算部を省略した構成におけるトーンカーブ変換処理特性の一例を示す図である。図４０は、高輝度画素比率演算部を省略した構成におけるトーンカーブ変換処理における利得特性の一例を示す図である。図４１は、高輝度画素比率演算部を省略した構成におけるトーンカーブ変換処理の一例を示すフローチャートである。
【０１８７】
図３８、図３９、図４０、図４１に示すように、図３１に示す構成から高輝度画素比率演算部２７２２を省略した輝度調整部２７２ａを具備した構成であっても良い。
【０１８８】
図３８、図３９、図４０、図４１に示す例では、第１領域における利得係数ｋ１及び第２領域における利得係数ｋ２を一定値（ここでは、１）としている。
【０１８９】
具体的には、トーンカーブ設定値として第１領域における利得係数ｋ１及び第２領域における利得係数ｋ２を設け、外部の制御装置１１から入力された第１領域における利得係数ｋ１及び第２領域における利得係数ｋ２をトーンカーブ設定値格納部２７２１に格納する構成とし、利得演算部２７２３において、上記式（１９）、（２０）に対し、利得係数ｋ１、利得係数ｋ２、基準利得Ａｅ、利得の最大値Ａｍａｘ、指数ｃを適用して、図４０に示すトーンカーブ変換処理における利得特性を求める（ステップＳ４３ａ）。
【０１９０】
図４２は、実施形態に係るトーンカーブ変換部への入力信号の輝度が原画像の輝度に対して所定のカーブ特性γを有している場合の原画像の輝度と第１信号の輝度との関係を示す図である。図４３は、原画像における画像表示領域が複数の領域に分割され、各分割領域において、実施形態に係るトーンカーブ変換部への入力信号の輝度が原画像の輝度に対してそれぞれ異なるカーブ特性γを有している例を示す図である。
【０１９１】
図４２に示す例では、原画像の輝度Ｙ１を横軸に示し、実施形態に係る信号処理部２０への入力信号である第１信号ＲＧＢの輝度Ｙ２（Ｙｉｎ）を縦軸に示している。また、図４３２に示す例では、原画像の輝度Ｙ１の最大値で正規化した例を示している。
【０１９２】
図４２に示すように、トーンカーブ変換部２７への入力信号である第１信号ＲＧＢの輝度Ｙ２（Ｙｉｎ）が原画像の輝度に対して所定のカーブ特性γを有している場合でも、実施形態に係るトーンカーブ変換部２７におけるトーンカーブ変換処理を適用することが可能である。
【０１９３】
また、図４３に示す例では、原画像における画像表示領域１００が複数の分割領域１００ａ，１００ｂ，１００ｃ，１００ｄ，１００ｅ，１００ｆ，１００ｇ，１００ｈ，１００ｉ，１００ｊ，１００ｋ，１００ｌに分割され、各分割領域１００ａ，１００ｂ，１００ｃ，１００ｄ，１００ｅ，１００ｆ，１００ｇ，１００ｈ，１００ｉ，１００ｊ，１００ｋ，１００ｌ毎に、実施形態に係るトーンカーブ変換部２７への入力信号である第１信号ＲＧＢの輝度Ｙ２（Ｙｉｎ）が原画像の輝度Ｙ１に対してそれぞれ異なるカーブ特性γを有している例を示している。
【０１９４】
実施形態に係るトーンカーブ変換部２７におけるトーンカーブ変換処理は、図４２及び図４３に示すように、トーンカーブ変換部２７への入力信号である第１信号ＲＧＢの輝度Ｙｉｎが原画像の輝度に対して所定のカーブ特性γを有している場合にも適用可能である。
【０１９５】
画像処理部２２は、第（ｐ、ｑ）番目の画素４８における信号値Ｘ１−（ｐ、ｑ）、信号値Ｘ２−（ｐ、ｑ）、信号値Ｘ３−（ｐ、ｑ）及び信号値Ｘ４−（ｐ、ｑ）を出力するよう、上述した変換処理を行う同期処理を行う（ステップＳ１６）。画像表示パネル駆動部４０は、同期信号ＴＭに基づいて、１フレーム毎に画像表示パネル３０に画像を表示し、面状光源装置制御部６０は、光源５６Ａ、５６Ｂ、５６Ｃ、５６Ｄ、５６Ｅ、５６Ｆ、５７Ａ、５７Ｂ、５７Ｃ、５７Ｄ、５７Ｅ又は５７Ｆを独立して駆動する。
【０１９６】
なお、本実施形態では、上述したように、画素４８に第４副画素４９Ｗを加え、画像処理部２２において、赤、緑、青の３色の第２信号ｒｇｂを、赤、緑、青、白の４色の第３信号ＲＧＢＷに変換する構成であり、また、複数の光源５６Ａ、５６Ｂ、５６Ｃ、５６Ｄ、５６Ｅ及び５６Ｆに対して個々に独立してパネル輝度の制御を行う例について説明したが、実施形態に係るトーンカーブ変換部２７におけるトーンカーブ変換処理の適用範囲は、上述した構成に限るものではない。
【０１９７】
実施形態に係るトーンカーブ変換部２７におけるトーンカーブ変換処理は、例えば、赤、緑、青の３色の副画素で表示する構成である場合でも、光源点灯量を増加させることで実現可能であるし、また、有機エレクトロルミネッセンス発光を用いた有機ＥＬディスプレイパネル（ＯＬＥＤ：Ｏｒｇａｎｉｃ  Ｅｌｅｃｔｒｏ−Ｌｕｍｉｎｅｓｃｅｎｃｅ  Ｄｉｓｐｌａｙ）を用いた表示装置においても、ＯＬＥＤの点灯量における余力を利用することで、高輝度画素における利得を大きくすることが可能である。
【０１９８】
図４４Ａは、実施形態に係る表示装置を赤、緑、青、白の４色の副画素で構成される液晶表示パネルに適用した一例を示す図である。図４４Ｂは、実施形態に係る表示装置を赤、緑、青の３色の副画素で構成される液晶表示パネルに適用した一例を示す図である。図４４Ｃは、実施形態に係る表示装置をＯＬＥＤに適用した一例を示す図である。図４５Ａは、実施形態に係る表示装置を赤、緑、青、白の４色の副画素で構成される液晶表示パネルに適用した図４４Ａとは異なる一例を示す図である。図４５Ｂは、実施形態に係る表示装置を赤、緑、青の３色の副画素で構成される液晶表示パネルに適用した図４４Ｂとは異なる一例を示す図である。図４５Ｃは、実施形態に係る表示装置をＯＬＥＤに適用した図４４Ｃとは異なる一例を示す図である。
【０１９９】
図４４Ａに示す例では、制御装置１１が半導体集積回路（ＩＣ）２００ａに構成されている。信号処理部２０が半導体集積回路（ＩＣ）２００ａに構成されている。画像表示パネル駆動部４０は、信号処理部２０からＲＧＢＷ信号が供給され、画像表示パネル（ＲＧＢＷ液晶表示パネル）３０を駆動する。面状光源装置駆動部６０は、信号処理部２０からＢＬ信号が供給され、面状光源装置５０を制御する。このような構成において、画像表示領域１００の複数の分割領域１００ａ，１００ｂ，１００ｃ，１００ｄ，１００ｅ，１００ｆ，１００ｇ，１００ｈ，１００ｉ，１００ｊ，１００ｋ，１００ｌに対応して、それぞれの領域毎に異なるカーブ特性に応じたトーンカーブ変換処理を行うことで、分割領域１００ａ，１００ｂ，１００ｃ，１００ｄ，１００ｅ，１００ｆ，１００ｇ，１００ｈ，１００ｉ，１００ｊ，１００ｋ，１００ｌ毎に、ａからａ’、ｂからｂ’、ｃからｃ’、ｄからｄ’、ｅからｅ’、ｆからｆ’、ｇからｇ’、ｈからｈ’、ｉからｉ’、ｊからｊ’、ｋからｋ’、ｌからｌ’の変換処理が行われる。
【０２００】
また、図４５Ａに示すように、制御装置１１と信号処理部２０とが１つの半導体集積回路（ＩＣ）２００に構成されていても良い。
【０２０１】
図４４Ｂに示す例では、制御装置１１が半導体集積回路（ＩＣ）２００ａに構成されている。信号処理部２０ａが半導体集積回路（ＩＣ）２００ａに構成されている。画像表示パネル駆動部４０ａは、信号処理部２０ａからＲＧＢ信号が供給され、画像表示パネル（ＲＧＢ液晶表示パネル）３０ａを駆動する。面状光源装置駆動部６０ａは、信号処理部２０ａからＢＬ信号が供給され、面状光源装置５０ａを制御する。このような構成において、画像表示領域１００の複数の分割領域１００ａ，１００ｂ，１００ｃ，１００ｄ，１００ｅ，１００ｆ，１００ｇ，１００ｈ，１００ｉ，１００ｊ，１００ｋ，１００ｌに対応して、それぞれの領域毎に異なるカーブ特性に応じたトーンカーブ変換処理を行うことで、分割領域１００ａ，１００ｂ，１００ｃ，１００ｄ，１００ｅ，１００ｆ，１００ｇ，１００ｈ，１００ｉ，１００ｊ，１００ｋ，１００ｌ毎に、ａからａ’、ｂからｂ’、ｃからｃ’、ｄからｄ’、ｅからｅ’、ｆからｆ’、ｇからｇ’、ｈからｈ’、ｉからｉ’、ｊからｊ’、ｋからｋ’、ｌからｌ’の変換処理が行われる。
【０２０２】
また、図４５Ｂに示すように、制御装置１１と信号処理部２０ａとが１つの半導体集積回路（ＩＣ）２００に構成されていても良い。
【０２０３】
図４４Ｃに示す例では、制御装置１１が半導体集積回路（ＩＣ）２００ａに構成されている。信号処理部２０ｂが半導体集積回路（ＩＣ）２００ａに構成されている。画像表示パネル駆動部４０ｂは、信号処理部２０ｂからＲＧＢ信号が供給され、画像表示パネル（ＲＧＢ液晶表示パネル）３０ｂを駆動する。このような構成において、画像表示領域１００の複数の分割領域１００ａ，１００ｂ，１００ｃ，１００ｄ，１００ｅ，１００ｆ，１００ｇ，１００ｈ，１００ｉ，１００ｊ，１００ｋ，１００ｌに対応して、それぞれの領域毎に異なるカーブ特性に応じたトーンカーブ変換処理を行うことで、分割領域１００ａ，１００ｂ，１００ｃ，１００ｄ，１００ｅ，１００ｆ，１００ｇ，１００ｈ，１００ｉ，１００ｊ，１００ｋ，１００ｌ毎に、ａからａ’、ｂからｂ’、ｃからｃ’、ｄからｄ’、ｅからｅ’、ｆからｆ’、ｇからｇ’、ｈからｈ’、ｉからｉ’、ｊからｊ’、ｋからｋ’、ｌからｌ’の変換処理が行われる。
【０２０４】
また、図４５Ｃに示すように、制御装置１１と信号処理部２０ｂとが１つの半導体集積回路（ＩＣ）２００に構成されていても良い。
【０２０５】
また、上述した例では、ＸＹＺ色度系における輝度を指標として、高輝度画素の利得を大きくする例について説明したが、例えば、ＨＳＶ空間における明度を指標として、高輝度画素における利得を大きくすることもできる。
【０２０６】
以上説明したように、実施形態に係る表示装置１０によれば、複数の画素４８が配列され、画像を表示する画像表示パネル３０と、画像の入力信号である第１信号ＲＧＢに含まれる、画素４８を構成する複数の副画素の信号値に利得を乗じて第２信号ｒｇｂを生成する信号処理部２０と、を備える。信号処理部２０は、画素４８に含まれる複数の副画素の信号値に基づき、当該画素４８における輝度Ｙｉｎを算出し、輝度Ｙｉｎが第１の輝度閾値Ｙｔｈ１を超えた画素４８（高輝度画素）において、副画素の信号値に乗じる利得を、当該画素４８の輝度Ｙｉｎに応じて大きくする。これにより、任意の画像入力に対して高輝度画素の利得を増加させることができる。
【０２０７】
また、本実施形態では、第１の輝度閾値Ｙｔｈ１は、画素４８に含まれる複数の副画素の信号値が全て０以上となる値に設定されている。これにより、白成分を含む画素４８に対して、利得を増加させることができる。
【０２０８】
また、本実施形態では、第１信号ＲＧＢの輝度Ｙｉｎが第１の輝度閾値Ｙｔｈ１以下の画素４８において、副画素の信号値に乗じる利得を下げる。これにより、高輝度画素をより際立たせることができる。
【０２０９】
また、本実施形態では、画素４８の総数に対し、輝度Ｙｉｎが第２の輝度閾値Ｙｔｈ２を超える画素４８の数の比率（高輝度画素比率）Ｐを求め、高輝度画素比率Ｐが第１の比率閾値Ｐ１を超えた場合に、輝度Ｙｉｎが第１の輝度閾値Ｙｔｈ１を超えた画素４８において、副画素の信号値に乗じる利得を下げる。これにより、全体的に明るい画像においてダイナミックレンジの拡大効果が薄くなることを防ぐことができる。
【０２１０】
また、本実施形態では、高輝度画素比率Ｐが第１の比率閾値Ｐ１よりも大きい第２の比率閾値Ｐ２を超えた場合に、副画素の信号値に乗じる利得を所定の一定値とする。これにより、明るい画像におけるコントラスト比を正常に保つことができる。
【０２１１】
本実施形態により、任意の画像入力に対して高輝度画素の利得を増加させて表示画像のダイナミックレンジを拡大することが可能な表示装置が得られる。
【０２１２】
以上、実施形態について説明したが、上述した内容により本発明が限定されるものではない。また、上述した本発明の構成要素には、当業者が容易に想定できるもの、実質的に同一のもの、いわゆる均等の範囲のものが含まれる。さらに、上述した構成要素は適宜組み合わせることが可能である。また、本発明の要旨を逸脱しない範囲で構成要素の種々の省略、置換及び変更を行うことができる。
【０２１３】
また、本発明は、以下の構成を取ることもできる。
【０２１４】
（１）
複数の画素が配列され、画像を表示する画像表示パネルと、
前記画像の入力信号である第１信号に含まれる、前記画素を構成する複数の副画素の信号値に利得を乗じて第２信号を生成する信号処理部と、
を備え、
前記信号処理部は、前記画素に含まれる複数の副画素の信号値に基づき、当該画素における輝度を算出し、前記輝度が第１の輝度閾値を超えた画素において、前記副画素の信号値に乗じる利得を、当該画素の前記輝度に応じて大きくする
表示装置。
（２）
前記第１の輝度閾値は、前記画素に含まれる複数の前記副画素の信号値が全て０以上となる値に設定されている
（１）に記載の表示装置。
（３）
前記第１の輝度閾値は、０．７以上１．０未満の値に設定されている
（１）又は（２）の表示装置。
（４）
前記信号処理部は、
前記輝度が前記第１の輝度閾値以下の画素において、前記副画素の信号値に乗じる利得を下げる
（１）から（３）の表示装置。
（５）
前記信号処理部は、
前記画素の総数に対し、前記輝度が第２の輝度閾値を超える画素の数の比率を求め、当該比率が第１の比率閾値を超えた場合に、前記輝度が第１の輝度閾値を超えた画素において、前記副画素の信号値に乗じる利得を下げる
（１）から（４）に記載の表示装置。
（６）
前記信号処理部は、
前記比率が前記第１の比率閾値よりも大きい第２の比率閾値を超えた場合に、前記副画素の信号値に乗じる利得を所定の一定値とする
（５）の表示装置。
【符号の説明】
【０２１５】
１０  表示装置
２０，２０ａ，２０ｂ  信号処理部
２１  タイミング生成部
２２  画像処理部
２３  画像解析部
２４  光源駆動値演算部
２５  光源データ記憶部
２６  光源駆動値決定部
２７  トーンカーブ変換部
２７１  輝度解析部
２７２，２７２ａ  輝度調整部
２７２１  トーンカーブ設定値格納部
２７２２  高輝度画素比率演算部
２７２３  利得演算部
２７２４  第２信号生成部
３０，３０ａ，３０ｂ  画像表示パネル（表示部）
４０，４０ａ，４０ｂ  画像表示パネル駆動部
４１  信号出力回路
４２  走査回路
４８  画素
４９  副画素
４９Ｒ  第１副画素
４９Ｇ  第２副画素
４９Ｂ  第３副画素
４９Ｗ  第４副画素
５０，５０ａ，５０ｂ  面状光源装置
５２Ａ  第１サイドライト光源
５２Ｂ  第２サイドライト光源
５４  導光板
５６Ａ、５６Ｂ、５６Ｃ、５６Ｄ、５６Ｅ、５６Ｆ、５７Ａ、５７Ｂ、５７Ｃ、５７Ｄ、５７Ｅ、５７Ｆ  光源
６０，６０ａ  面状光源装置制御部
１００  画像表示領域
１００ａ，１００ｂ，１００ｃ，１００ｄ，１００ｅ，１００ｆ，１００ｇ，１００ｈ，１００ｉ，１００ｊ，１００ｋ，１００ｌ  分割領域
２００，２００ａ，２００ｂ  半導体集積回路（ＩＣ）
【図１】
2018031920.tif 000012
【図２】
2018031920.tif 000013
【図３】
2018031920.tif 000014
【図４】
2018031920.tif 000015
【図５】
2018031920.tif 000016
【図６】
2018031920.tif 000017
【図７】
2018031920.tif 000018
【図８】
2018031920.tif 000019
【図９】
2018031920.tif 000020
【図１０】
2018031920.tif 000021
【図１１】
2018031920.tif 000022
【図１２】
2018031920.tif 000023
【図１３】
2018031920.tif 000024
【図１４】
2018031920.tif 000025
【図１５】
2018031920.tif 000026
【図１６】
2018031920.tif 000027
【図１７】
2018031920.tif 000028
【図１８】
2018031920.tif 000029
【図１９】
2018031920.tif 000030
【図２０】
2018031920.tif 000031
【図２１】
2018031920.tif 000032
【図２２】
2018031920.tif 000033
【図２３】
2018031920.tif 000034
【図２４】
2018031920.tif 000035
【図２５】
2018031920.tif 000036
【図２６】
2018031920.tif 000037
【図２７】
2018031920.tif 000038
【図２８】
2018031920.tif 000039
【図２９】
2018031920.tif 000040
【図３０】
2018031920.tif 000041
【図３１】
2018031920.tif 000042
【図３２】
2018031920.tif 000043
【図３３】
2018031920.tif 000044
【図３４】
2018031920.tif 000045
【図３５】
2018031920.tif 000046
【図３６】
2018031920.tif 000047
【図３７】
2018031920.tif 000048
【図３８】
2018031920.tif 000049
【図３９】
2018031920.tif 000050
【図４０】
2018031920.tif 000051
【図４１】
2018031920.tif 000052
【図４２】
2018031920.tif 000053
【図４３】
2018031920.tif 000054
【図４４Ａ】
2018031920.tif 000055
【図４４Ｂ】
2018031920.tif 000056
【図４４Ｃ】
2018031920.tif 000057
【図４５Ａ】
2018031920.tif 000058
【図４５Ｂ】
2018031920.tif 000059
【図４５Ｃ】
2018031920.tif 000060